(57)【要約】【課題】寸法に対する相対的な変形量が大きく、かつ、他の部材に粘着しにくい弁部材を提供する。【解決手段】差圧弁は、流路の一部を構成する第１室１８１と、第１室よりも下流側の流路に連通している第２室１８２，１８４と、第１室１８１と第２室１８２，１８４の間に配され、少なくとも一部が弾性材料で設けられる可動膜５００であって、第１室１８１内の液体の圧力と第２室１８２，１８４内の液体の圧力との差に応じて弾性変形することにより流路を開閉する可動膜５００と、を備える。可動膜５００のうち、流路を構成する他の部材１１５と接触する部分Ｓ１１の少なくとも一部Ｄｇは、弾性材料を構成する成分の少なくとも一部を含む材料であって、それらの成分のうち軟化剤として作用する成分の割合が弾性材料よりも少ない材料である接触用材料で構成されている。【選択図】図１４
2011073258.tif 000002
【特許請求の範囲】
【請求項１】
液体を供給するための液体容器であって、
液体を収容する液体収容部と、
前記液体を外部に供給するための液体供給口と、
前記液体収容部から前記液体供給口に前記液体を流通させる流路と、
前記流路に設けられる差圧弁と、を備え、
前記差圧弁は、
前記流路の一部を構成する第１室と、
前記第１室よりも下流側の前記流路に連通している第２室と、
前記第１室と前記第２室の間に配され、少なくとも一部が弾性材料で設けられる可動膜であって、前記第１室内の前記液体の圧力と前記第２室内の前記液体の圧力との差に応じて弾性変形することにより前記流路を開閉する可動膜と、を備え、
前記可動膜のうち、前記流路を構成する他の部材と接触する部分の少なくとも一部は、前記弾性材料を構成する成分の少なくとも一部を含む材料であって、前記成分のうち軟化剤として作用する成分の割合が前記弾性材料よりも少ない材料である接触用材料で構成されている、液体容器。
【請求項２】
請求項１記載の液体容器であって、
前記第１室は、前記差圧弁に流入する液体を受け入れる第１流入口と、前記流入した前記液体を送出する第１流出口と、を備え、
前記第２室は、前記第１室から送出された前記液体を受け入れる第２流入口と、前記第２流入口から流入した前記液体を送出する第２流出口と、を備え、
前記可動膜は、
前記第１流出口の外周部と接触して前記第１流出口を塞ぐことができる変位部と、
少なくとも一部が前記弾性材料で設けられ、前記第１室と前記第２室の間において前記変位部を支持する変形部であって、前記第１室内の前記液体の圧力と前記第２室内の前記液体の圧力との差に応じて変形することによって、前記変位部を前記外周部に接触させ、または前記外周部から離れさせる変形部と、を備え、
前記変位部のうち、前記他の部材としての前記外周部と接触する外周接触部の少なくとも一部が、前記接触用材料で設けられている、液体容器。
【請求項３】
請求項２記載の液体容器であって、さらに、
前記流路内に配され、一端で前記変位部を付勢することにより、前記第１流出口を塞ぐ位置に前記変位部を配するバネを備え、
前記変位部のうち、前記他の部材としての前記バネと接触する部分を含む少なくとも一部が、前記接触用材料で設けられている、液体容器。
【請求項４】
請求項３記載の液体容器であって、
前記バネはコイルバネであり、
前記変位部のうち、前記バネのコイルの端面と接触する部分が、前記接触用材料で設けられている、液体容器。
【請求項５】
請求項３記載の液体容器であって、
前記バネはコイルバネであり、
前記変位部のうち、前記バネのコイルの内面と接触しうる部分が、前記接触用材料で設けられている、液体容器。
【請求項６】
流体を流通させる流路に設けられる差圧弁であって、前記流路の一部を構成する第１室と、前記第１室よりも下流側の前記流路に連通している第２室と、前記第１室と前記第２室の間に配され、前記第１室内の前記流体の圧力と前記第２室内の前記流体の圧力との差に応じて弾性変形することにより前記流路を開閉する可動膜と、を備える差圧弁の前記可動膜を生産する方法であって、
（ａ）弾性材料を用いて処理前可動膜を生成し、
（ｂ）前記処理前可動膜のうち、前記流路を構成する他の部材と接触する部分の少なくとも一部について、前記弾性材料を構成する成分のうち軟化剤として作用する成分の少なくとも一部を除去する処理を含む、方法。
【請求項７】
請求項６記載の方法であって、
前記（ｂ）の処理は、
（ｂ１）前記他の部材と接触する部分の少なくとも一部を加圧し、
（ｂ２）前記加圧された部分について、洗浄を行って、前記軟化剤として作用する成分を除去する処理を含む、方法。
【請求項８】
請求項７記載の方法であって、
前記処理前可動膜の、前記（ｂ１）の加圧が行われる部分の前記加圧の方向についての寸法は、前記（ｂ１）の加圧が行われた後よりも前記（ｂ１）の加圧が行われる前の方が大きい、方法。
【請求項９】
請求項８記載の方法であって、
前記（ｂ１）の加圧を行うことによって、前記他の部材を受け入れるための凹部を形成する、方法。
【請求項１０】
請求項６記載の方法であって、
前記（ｂ）の処理は、
（ｂ１）前記他の部材と接触する部分の少なくとも一部について、前記軟化剤として作用する成分を溶かすことができる溶剤を塗布し、
（ｂ２）前記溶剤を塗布された部分について、洗浄を行って前記溶剤を除去する処理を含む、方法。
【請求項１１】
液体を供給するための液体容器であって、
液体を収容する液体収容部と、
外部から前記液体容器に空気を取り込むための吸気口と、
前記吸気口から前記液体収容部に前記空気を流通させる流路と、
前記流路に設けられる差圧弁と、を備え、
前記差圧弁は、
前記流路の一部を構成する第１室と、
前記第１室よりも下流側の前記流路に連通している第２室と、
前記第１室と前記第２室の間に配され、少なくとも一部が弾性材料で設けられる可動膜であって、前記第１室内の前記空気の圧力と前記第２室内の前記空気の圧力との差に応じて弾性変形することにより前記流路を開閉する可動膜と、を備え、
前記可動膜のうち、前記流路を構成する他の部材と接触する部分の少なくとも一部は、前記弾性材料を構成する成分の少なくとも一部を含む材料であって、前記成分のうち軟化剤として作用する成分の割合が前記弾性材料よりも少ない材料である接触用材料で構成されている、液体容器。
【請求項１２】
請求項１１記載の液体容器であって、
前記第１室は、前記差圧弁に流入する空気を受け入れる第１流入口と、前記流入した前記空気を送出する第１流出口と、を備え、
前記第２室は、前記第１室から送出された前記空気を受け入れる第２流入口と、前記第２流入口から流入した前記空気を送出する第２流出口と、を備え、
前記可動膜は、
前記第１流出口の外周部と接触して前記第１流出口を塞ぐことができる変位部と、
少なくとも一部が前記弾性材料で設けられ、前記第１室と前記第２室の間において前記変位部を支持する変形部であって、前記第１室内の前記空気の圧力と前記第２室内の前記空気の圧力との差に応じて変形することによって、前記変位部を前記外周部に接触させ、または前記外周部から離れさせる変形部と、を備え、
前記変位部のうち、前記他の部材としての前記外周部と接触する外周接触部の少なくとも一部が、前記接触用材料で設けられている、液体容器。
【請求項１３】
請求項１２記載の液体容器であって、さらに、
前記流路内に配され、一端で前記変位部を付勢することにより、前記第１流出口を塞ぐ位置に前記変位部を配するバネを備え、
前記変位部のうち、前記他の部材としての前記バネと接触する部分を含む少なくとも一部が、前記接触用材料で設けられている、液体容器。
【請求項１４】
請求項１３記載の液体容器であって、
前記バネはコイルバネであり、
前記変位部のうち、前記バネのコイルの端面と接触する部分が、前記接触用材料で設けられている、液体容器。
【請求項１５】
請求項１３記載の液体容器であって、
前記バネはコイルバネであり、
前記変位部のうち、前記バネのコイルの内面と接触しうる部分が、前記接触用材料で設けられている、液体容器。
【発明の詳細な説明】
【技術分野】
【０００１】
本発明は、流路内において流体の流れを制御するための差圧弁を用いた液体容器、及びこのような差圧弁に用いられる可動膜の生産方法に関するものである。
【背景技術】
【０００２】
従来より、インクなどの液体が流通する流路を開閉させるために、流路内において変位する弁部材が設けられることがある。そのような部材は、たとえば、弁部材の上流側と下流側の流路の圧力差が所定値以下であるときに、流路内の開口部に密着してその開口部を塞ぐ。そして、弁部材の上流側と下流側の流路の圧力差が所定値を超えた場合に、変形してその開口部から離れ、液体がその開口部を通って流路内を流通することを許容する。
【先行技術文献】
【特許文献】
【０００３】
【特許文献１】特開２００４−２３７７２０号公報
【０００４】
上記のような構成において、同程度の流量を制御できる性能を維持しつつ、弁機構全体を小型化しようとすると、弁部材の寸法に対する弁部材の変形量が相対的に大きくなる。たとえば、より柔軟性の高い素材で弁部材を構成することにより、そのような、寸法に対して大きく変形しうる弁部材を構成することができる。しかし、一般に柔軟性の高い素材で構成した部材は、表面のべたつきが大きい。このため、そのような態様においては、たとえば、いったん弁部材が流路内の開口部に密着した後、弁部材の上流と下流の圧力差が所定値を超えても、弁部材が開口部から離れない場合がある。そのような場合には、液体の流通を適切に制御することができない。このような問題は、インクなどの液体の流通を制御する弁構造に限らず、液体の流通を制御するための構造において、弾性を有することが必要でありかつ他の部材と接触しうる様々な部材について、広く存在する。
【発明の概要】
【発明が解決しようとする課題】
【０００５】
本発明は、上記の課題の少なくとも一部を取り扱うためになされたものであり、弁機構において、寸法に対する相対的な変形量が大きく、かつ、他の部材に粘着しにくい弁部材を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］
液体を流通させる流路に設けられる差圧弁であって、
前記流路の一部を構成する第１室と、
前記第１室よりも下流側の前記流路に連通している第２室と、
前記第１室と前記第２室の間に配され、少なくとも一部が弾性材料で設けられる可動膜であって、前記第１室内の前記液体の圧力と前記第２室内の前記液体の圧力との差に応じて弾性変形することにより前記流路を開閉する可動膜と、を備え、
前記可動膜のうち、前記流路を構成する他の部材と接触する部分の少なくとも一部は、前記弾性材料を構成する成分の少なくとも一部を含む材料であって、前記成分のうち軟化剤として作用する成分の割合が前記弾性材料よりも少ない材料である接触用材料で構成されている、差圧弁。
【０００８】
一般に、差圧弁の可動膜に使用される弾性材料においては、軟化材として作用する成分の割合が高いほど、柔軟性が高くなる。一方で、軟化材として作用する成分の割合が高いほど、他の部材に粘着しやすくなる。上記の態様においては、他の部材と接触する部分の少なくとも一部は、他の部分を構成する弾性材料よりも軟化剤として作用する成分の割合が少ない接触用材料で構成される。このため、可動膜が他の部材と接触しても、全表面に弾性材料が露出している態様に比べて、その部材と粘着しにくい。すなわち、弾性材料で構成される部分で柔軟性を確保しつつ、他の部材に粘着しにくい可動膜を実現することができる。よって、上記の態様によれば、寸法に対する相対的な変形量が大きく、かつ、他の部材に粘着しにくい弁部材としての可動膜を提供することができる。
しかも、上記の態様においては、弾性材料と接触用材料とは構成成分の少なくとも一部を共有する。このため、可動膜の各部を類似の素材で構成することができる。
【０００９】
なお、「第１室よりも下流側の前記流路に連通している」には、（ｉ）第１室よりも下流側の流路の一部を構成している態様と、（ｉｉ）流路の一部ではないが、第１室よりも下流側の流路の一部に接続されている態様と、を含む。
【００１０】
また、「流路を構成する他の部材」は、流路の形状を規定する部材でなくてもよい。すなわち、「流路を構成する他の部材」は、流路が機能するのに必要とされる部材、または流路内に配される部材であればよい。「流路を構成する他の部材」は、たとえば、差圧弁を構成する部材でもよい。
【００１１】
［適用例２］
適用例１の差圧弁であって、
前記第１室は、前記差圧弁に流入する液体を受け入れる第１流入口と、前記流入した前記液体を送出する第１流出口と、を備え、
前記第２室は、前記第１室から送出された前記液体を受け入れる第２流入口と、前記第２流入口から流入した前記液体を送出する第２流出口と、を備え、
前記可動膜は、
前記第１流出口の外周部と接触して前記第１流出口を塞ぐことができる変位部と、
少なくとも一部が前記弾性材料で設けられ、前記第１室と前記第２室の間において前記変位部を支持する変形部であって、前記第１室内の前記液体の圧力と前記第２室内の前記液体の圧力との差に応じて変形することによって、前記変位部を前記外周部に接触させ、または前記外周部から離れさせる変形部と、を備え、
前記変位部のうち、前記他の部材としての前記外周部と接触する外周接触部の少なくとも一部が、前記接触用材料で設けられている、差圧弁。
【００１２】
このような態様とすれば、変形部を構成する弾性素材と同じ素材で外周接触部が構成されている態様に比べて、第１流出口の外周部から変位部が離れる際に、両者の粘着によって変位部の変位が阻害されにくい。よって、第１室内の液体の圧力と第２室内の液体の圧力との差を正確に反映して、第１流出口の開閉を行うことができる。
【００１３】
［適用例３］
適用例２の差圧弁であって、さらに、
前記流路内に配され、一端で前記変位部を付勢することにより、前記第１流出口を塞ぐ位置に前記変位部を配するバネを備え、
前記変位部のうち、前記他の部材としての前記バネと接触する部分を含む少なくとも一部が、前記接触用材料で設けられている、差圧弁。
【００１４】
変位部のうちバネと接触する部分が、変形部を構成する弾性素材と同じ素材で構成されている場合には、差圧弁を製造する過程において、変位部とバネを組み立てる際に、バネが正規の位置以外の位置に粘着してしまうおそれがある。そのような状況下では、変位部上の正確な位置にバネを固定しにくい。
【００１５】
しかし、上記のような態様とすれば、変位部とバネを組みあわせる際に、バネが正規の位置以外の位置に粘着してしまう可能性が低い。このため、変位部上の正確な位置にバネを固定しやすい。すなわち、正確に製造され正確に動作する可能性が高い差圧弁が提供される。
【００１６】
なお、バネは、第１室内の液体の圧力と第２室内の液体の圧力との差が所定の範囲内にある状態において、第１流出口を塞ぐ位置に変位部を配することができる態様とすることができる。
【００１７】
［適用例４］
適用例３の差圧弁であって、
前記バネはコイルバネであり、
前記変位部のうち、前記バネのコイルの端面と接触する部分が、前記接触用材料で設けられている、差圧弁。
【００１８】
［適用例５］
適用例３の差圧弁であって、
前記バネはコイルバネであり、
前記変位部のうち、前記バネのコイルの内面と接触しうる部分が、前記接触用材料で設けられている、差圧弁。
【００１９】
［適用例６］
流体を流通させる流路に設けられる差圧弁であって、前記流路の一部を構成する第１室と、前記第１室よりも下流側の前記流路に連通している第２室と、前記第１室と前記第２室の間に配され、前記第１室内の前記流体の圧力と前記第２室内の前記流体の圧力との差に応じて弾性変形することにより前記流路を開閉する可動膜と、を備える差圧弁の前記可動膜を生産する方法であって、
（ａ）弾性材料を用いて処理前可動膜を生成し、
（ｂ）前記処理前可動膜のうち、前記流路を構成する他の部材と接触する部分の少なくとも一部について、前記弾性材料を構成する成分のうち軟化剤として作用する成分の少なくとも一部を除去する処理を含む、方法。
【００２０】
上記の態様においては、他の部材と接触する部分の少なくとも一部は、弾性材料から軟化剤として作用する成分の少なくとも一部が除去された材料で構成される。このため、弾性材料で構成される部分で柔軟性を確保しつつ、他の部材に粘着しにくい可動膜を実現することができる。よって、上記の態様によれば、寸法に対する相対的な変形量が大きく、かつ、他の部材に粘着しにくい弁部材としての可動膜を提供することができる。
また、弾性材料で構成された部材の一部から軟化剤を除去することにより、異なる性質を有する部分を可動膜に設けることができる。このため、異なる性質を有する部分を容易に可動膜に設けることができる。
しかも、上記の態様においては、弾性材料と接触用材料とは構成成分の少なくとも一部を共有する。このため、可動膜の各部を類似の素材で構成することができる。
【００２１】
なお、上記の差圧弁を生産する方法によって生産される差圧弁は、流体としての液体（たとえばインク）を制御する差圧弁であってもよく、流体としての気体（例えば空気）を制御する差圧弁であってもよい。上記の生産方法は、たとえば、液体容器において、収容している液体の送出を制御する差圧弁を生産することもでき、液体容器に外部から空気を取り入れる際にその空気の吸入を制御する差圧弁を生産することもできる。
【００２２】
［適用例７］
適用例６の方法であって、
前記（ｂ）の処理は、
（ｂ１）前記他の部材と接触する部分の少なくとも一部を加圧し、
（ｂ２）前記加圧された部分について、洗浄を行って、前記軟化剤として作用する成分を除去する処理を含む、方法。
【００２３】
このような態様とすれば、他の部材と接触する部分から、軟化剤として作用する成分を効率的に除去することができる。
【００２４】
洗浄に際して液体を使用する場合には、その液体は、軟化剤として作用する成分を溶かすことができる液体であってもよいし、軟化剤として作用する成分をほとんど溶かすことができない液体であってもよい。軟化剤として作用する成分をほとんど溶かすことができない液体であっても、可動膜に対して所定値以上の速度で吹き付けることにより、加圧によって可動膜の表面ににじみ出した成分を、可動膜の表面から除去することができる。
【００２５】
［適用例８］
適用例７の方法であって、
前記処理前可動膜の、前記（ｂ１）の加圧が行われる部分の前記加圧の方向についての寸法は、前記（ｂ１）の加圧が行われた後よりも前記（ｂ１）の加圧が行われる前の方が大きい、方法。
【００２６】
このような態様とすれば、（ｂ１）の処理における加圧により、可動膜の加圧の方向についての寸法が小さくなる場合に、処理後に他の部材と組み合わせることができる適切な形状を有する可動膜を、（ａ），（ｂ）の処理で生成することができる。
【００２７】
［適用例９］
適用例８の方法であって、
前記（ｂ１）の加圧を行うことによって、前記他の部材を受け入れるための凹部を形成する、方法。
【００２８】
このような態様とすれば、弾性材料から軟化剤として作用する成分の少なくとも一部を除去すると同時に、他の部材を受け入れる凹部を形成することができる。このため、差圧弁の製造時に、変位部と他の部材の相対位置を正確に定めることができる。
【００２９】
さらに、以下のような態様とすることもできる。
適用例７の方法であって、
前記第１室は、前記差圧弁に流入する流体を受け入れる第１流入口と、前記流入した前記流体を送出する第１流出口と、を備え、
前記第２室は、前記第１室から送出された前記流体を受け入れる第２流入口と、前記第２流入口から流入した前記流体を送出する第２流出口と、を備え、
前記可動膜は、
前記第１流出口の外周部と接触して前記第１流出口を塞ぐことができる変位部と、
少なくとも一部が前記弾性材料で設けられ、前記第１室と前記第２室の間において前記変位部を支持する変形部であって、前記第１室内の前記流体の圧力と前記第２室内の前記流体の圧力との差に応じて変形することによって、前記変位部を前記外周部に接触させ、または前記外周部から離れさせる変形部と、を備え、
前記差圧弁は、さらに、
前記流路内に配され、一端で前記変位部を付勢することにより、前記第１流出口を塞ぐ位置に前記変位部を配するコイルバネを備え、
前記（ｂ１）は、
前記変位部のうち、前記他の部材としての前記コイルバネの端面と接触する部分を加圧し、前記コイルバネのコイルを受け入れる凹部を形成する処理を含む、方法。
【００３０】
このような態様とすれば、弾性材料から軟化剤として作用する成分の少なくとも一部を除去すると同時に、コイルバネのコイルを受け入れる凹部を形成することができる。このため、差圧弁の製造時に、変位部に対してコイルバネを正確に配することができる。
【００３１】
［適用例１０］
適用例６の方法であって、
前記（ｂ）の処理は、
（ｂ１）前記他の部材と接触する部分の少なくとも一部について、前記軟化剤として作用する成分を溶かすことができる溶剤を塗布し、
（ｂ２）前記溶剤を塗布された部分について、洗浄を行って前記溶剤を除去する処理を含む、方法。
【００３２】
このような態様とすれば、可動膜中の軟化剤として作用する成分を、溶剤に溶け出させ、その後その溶剤を洗浄によって除去することにより、他の部材と接触する部分から、軟化剤として作用する成分を効率的に除去することができる。
【００３３】
なお、塗布される溶剤は、弾性材料の上に接触用材料の表面にあって、弾性材料から軟化剤を溶け出させる作用を有する溶剤とすることができる。また、塗布される溶剤は、弾性材料に浸透して軟化剤とともに弾性材料の表面に染み出す作用を有する溶剤とすることもできる。
【００３４】
なお、洗浄に際して液体を使用する場合には、その液体は、軟化剤として作用する成分や上記の溶剤を溶かすことができる液体であってもよいし、溶かすことができない液体であってもよい。軟化剤として作用する成分や溶剤を溶かすことができない液体であっても、可動膜に対して所定値以上の速度で吹き付けることにより、染み出した軟化剤や、軟化剤として作用する成分を溶かした溶剤を、可動膜の表面から除去することができる。
【００３５】
［適用例１１］
液体を供給するための液体容器であって、
液体を収容する液体収容部と、
外部から前記液体容器に空気を取り込むための吸気口と、
前記吸気口から前記液体収容部に前記空気を流通させる流路と、
前記流路に設けられる差圧弁と、を備え、
前記差圧弁は、
前記流路の一部を構成する第１室と、
前記第１室よりも下流側の前記流路に連通している第２室と、
前記第１室と前記第２室の間に配され、少なくとも一部が弾性材料で設けられる可動膜であって、前記第１室内の前記空気の圧力と前記第２室内の前記空気の圧力との差に応じて弾性変形することにより前記流路を開閉する可動膜と、を備え、
前記可動膜のうち、前記流路を構成する他の部材と接触する部分の少なくとも一部は、前記弾性材料を構成する成分の少なくとも一部を含む材料であって、前記成分のうち軟化剤として作用する成分の割合が前記弾性材料よりも少ない材料である接触用材料で構成されている、液体容器。
【００３６】
上記の態様によれば、吸気口から液体収容部に空気を流通させる流路に設けられる差圧弁において、寸法に対する相対的な変形量が大きく、かつ、他の部材に粘着しにくい弁部材としての可動膜を提供することができる。
しかも、上記の態様においては、弾性材料と接触用材料とは構成成分の少なくとも一部を共有する。このため、可動膜の各部を類似の素材で構成することができる。
【００３７】
［適用例１２］
適用例１１の液体容器であって、
前記第１室は、前記差圧弁に流入する空気を受け入れる第１流入口と、前記流入した前記空気を送出する第１流出口と、を備え、
前記第２室は、前記第１室から送出された前記空気を受け入れる第２流入口と、前記第２流入口から流入した前記空気を送出する第２流出口と、を備え、
前記可動膜は、
前記第１流出口の外周部と接触して前記第１流出口を塞ぐことができる変位部と、
少なくとも一部が前記弾性材料で設けられ、前記第１室と前記第２室の間において前記変位部を支持する変形部であって、前記第１室内の前記空気の圧力と前記第２室内の前記空気の圧力との差に応じて変形することによって、前記変位部を前記外周部に接触させ、または前記外周部から離れさせる変形部と、を備え、
前記変位部のうち、前記他の部材としての前記外周部と接触する外周接触部の少なくとも一部が、前記接触用材料で設けられている、液体容器。
【００３８】
このような態様とすれば、変形部を構成する弾性素材と同じ素材で外周接触部が構成されている態様に比べて、第１流出口の外周部から変位部が離れる際に、両者の粘着によって変位部の変位が阻害されにくい。よって、第１室内の液体の圧力と第２室内の液体の圧力との差を正確に反映して、第１流出口の開閉を行うことができる。
【００３９】
なお、上記適用例３〜１０は、上記適用例１１，１２と組み合わせることも可能である。
【００４０】
なお、本発明は、以下に示すような種々の態様で実現することが可能である。
（１）液体容器、液体供給装置、液体供給方法。
（２）流量制御装置、流量制御方法。
（３）インク収容器、インク供給装置。
（４）液体消費装置、インクジェットプリンター。
【図面の簡単な説明】
【００４１】
【図１】第１実施例のインクカートリッジ１００を第２側面ＳＳ２、上面ＴＳおよび後面ＲＳの側から見たときの分解斜視図。
【図２】第１実施例のインクカートリッジ１００を第１側面ＳＳ１、底面ＢＳおよび前面ＦＳの側から見たときの分解斜視図。
【図３】容器本体１１０を第２側面ＳＳ２側から見たときの側面図。
【図４】容器本体１１０を第１側面ＳＳ１側から見たときの側面図。
【図５】インクカートリッジ１００がインクジェットプリンターのカートリッジ装着部２００に取り付けられた状態を示す図。
【図６】インクカートリッジ１００内における大気解放孔１３０ａから供給孔１２０ａに至る経路を概念的に示す図。
【図７】弁アセンブリ６００ｂに含まれる膜弁５００の構成を示す斜視図。
【図８】膜弁５００の構成を示す平面図および断面図。
【図９】バネ座部材３００を示す説明図。
【図１０】弁アセンブリ６００ｂの分解斜視図。
【図１１】バルブ部１８０の側面図。
【図１２】図１１（Ｂ）に２点鎖線で示すバルブ部１８０のＥ１−Ｅ１断面の一部を示す断面図。
【図１３】閉弁状態にあるバルブ部１８０の概略断面図。
【図１４】開弁状態にあるバルブ部１８０の概略断面図。
【図１５】本実施例の膜弁５００、バルブ部１８０、及びインクカートリッジ１００を製造する工程を示すフローチャート。
【図１６】図１５のステップＳ１２２において、変位部５５０の円柱Ｃ１の端を加圧する際の手順を示す図。
【図１７】図１５のステップＳ１２２において、変位部５５０の中央部Ｓ１１を加圧する際の手順を示す図。
【図１８】第１実施例において行われる図１２の処理のうち、ステップＳ１２０に代わって行われるステップＳ１２０ｂを示すフローチャート。
【図１９】第２実施例における膜弁５００ｂの変位部５５０ｂ近傍の断面図。
【発明を実施するための形態】
【００４２】
以下、本発明の実施例を説明する。実施例の説明において、「高低」および「上下」は重力方向を基準にして述べる。「上面」、「底面」、「前」、「後」、「左」、「右」は、液体消費装置としてのインクジェットプリンターに液体容器としてのインクカートリッジを搭載した状態を基準にしている。その際、インクジェットプリンターは、定められた使用の際の正規の姿勢で置かれているものとする。
【００４３】
また、上記の状態を基準として、略直方体である液体容器としてのインクカートリッジの構成において、第１〜第６の面を以下のように定める。重力方向下側の面を「第１の面」とする。第１の面と対向する面（重力方向上側の面）を「第２の面」とする。第１および第２の面と交わり互いに対向する広い面を「第３の面」および「第４の面」とする。第１ないし第４の面と交わり、互いに対向し、第３および第４の面よりも狭い面を「第５の面」および「第６の面」とする。また、実施例においては、第１の面を「底面ＢＳ」、第２の面を「上面ＴＳ」、第３の面を「第１側面ＳＳ１」、第４の面を「第２側面ＳＳ２」、第５の面を「前面ＦＳ」、第６の面を「後面ＲＳ」と呼ぶことがある。
【００４４】
Ａ．第１実施例：
Ａ１．インクカートリッジの概略構成：
図１は、第１実施例のインクカートリッジ１００を第２側面ＳＳ２、上面ＴＳおよび後面ＲＳの側から見たときの分解斜視図である。図２は、第１実施例のインクカートリッジ１００を第１側面ＳＳ１、底面ＢＳおよび前面ＦＳの側から見たときの分解斜視図である。
【００４５】
図１、図２中に示すＸ軸、Ｙ軸、Ｚ軸は互いに直交している。Ｘ軸の正方向は、インクカートリッジ１００の前面ＦＳから後面ＲＳに向かう方向である。Ｙ軸の正方向は、インクカートリッジ１００の第１側面ＳＳ１から第２側面ＳＳ２に向かう方向である。Ｚ軸の正方向は、インクカートリッジ１００の底面ＢＳから上面ＴＳに向かう方向である。Ｚ軸の負方向は重力方向と一致する。本明細書において、Ｘ軸に平行な方向を「前後方向」、Ｙ軸に平行な方向を「左右方向」、Ｚ軸に平行な方向を「上下方向」と呼ぶことがある。
【００４６】
図１および図２に示すように、本実施例のインクカートリッジ１００は、容器本体１１０と、容器本体１１０を左右方向から挟む第１側面フィルム１０１および第２側面フィルム１０２と、第２側面フィルム１０２の外側から容器本体１１０に装着される蓋部材２０と、インクカートリッジ１００の底面ＢＳ側に貼付される封止フィルム５４、９０、９８とを有している。容器本体１１０は、たとえば、プロピレン（ＰＰ）やポリエチレンテレフタレート（ＰＥＴ）等の合成樹脂で形成される。
【００４７】
図２に示すように、容器本体１１０の底面ＢＳには、液体消費装置としてのインクジェットプリンターにインクを供給するための供給孔１２０ａを有するインク供給部１２０が設けられている。また、容器本体１１０の底面ＢＳには、インクカートリッジ１００の内部に大気を導入するための大気解放孔１３０ａが設けられている。さらに、容器本体１１０の底面ＢＳには、減圧孔１３０ｂが設けられている。減圧孔１３０ｂは、インクカートリッジ１００の製造工程において、インクカートリッジ１００内から空気を吸い出すために用いられる穴である。減圧孔１３０ｂを介した空気の吸引により、インクカートリッジ１００内部は減圧され、その後、インクカートリッジ１００内にインクが注入される。これらインク供給部１２０、大気解放孔１３０ａ、および減圧孔１３０ｂは、封止フィルム５４、９０、９８によって、それぞれ封止されている。
【００４８】
図２に示すように、容器本体１１０の前面ＦＳには、係合レバー１１が設けられている。係合レバー１１には、突起１１ａが形成されている。インクカートリッジ１００の前面ＦＳであって係合レバー１１の下方の位置には、回路基板１３が設けられている。回路基板１３上には、複数の電極端子が形成されている。これらの電極端子は、インクカートリッジ１００がインクジェットプリンターに装着されたときに、装置側の電極端子を介して、インクジェットプリンターと電気的に接続される。
【００４９】
図１および図２に示すように、容器本体１１０の両側面には、様々な形状のリブ１１１が形成されている。側面フィルム１０１、１０２は、容器本体１１０の両側面の全体を覆うように、容器本体１１０に貼り付けられている。リブ１１１の端面と側面フィルム１０１、１０２との間に隙間が生じないように、側面フィルム１０１、１０２はリブ１１１の端面に緻密に貼り付けられている。これらのリブ１１１と側面フィルム１０１、１０２により、インクカートリッジ１００の内部には、複数の小部屋、例えば、後述するインク収容室、バッファ室や、インク流路が形成される。
【００５０】
図２に示すように、容器本体１１０の第１側面ＳＳ１には、弁収容室６００ａが形成されている。弁収容室６００ａは、容器本体１１０の第１側面ＳＳ１において、第２の側面に向かう向きに凹んだ凹部である。弁収容室６００ａには、弁アセンブリ６００ｂが、嵌め込まれる。弁アセンブリ６００ｂは、バネ座部材３００とコイルバネ４００と膜弁５００とを含む（図１および図２参照）。弁収容室６００ａと弁アセンブリ６００ｂとは、後述するバルブ部１８０を構成する。
【００５１】
図３は、容器本体１１０を第２側面ＳＳ２側から見たときの側面図である。図４は、容器本体１１０を第１側面ＳＳ１側から見たときの側面図である。図４に示すように、弁収容室６００ａの底壁（Ｙ軸正方向に位置する壁。以下「弁壁６００ａｗ」とも呼ぶ）の中央近辺には、開口４５２、４５３が設けられている。図３に示すように、これらの開口４５２、４５３は、容器本体１１０の第２側面ＳＳ２側に形成された流路４５０、４６０と、それぞれ連通している（図１も参照）。これら開口４５２、４５３、ならびに流路４５０、４６０については、後に詳しく説明する。
【００５２】
図５は、インクカートリッジ１００がインクジェットプリンターのカートリッジ装着部２００に取り付けられた状態を示す図である。この状態において、大気解放孔１３０ａ（図２参照）は、インクジェットプリンターのカートリッジ装着部２００に形成された突起２３０を受け入れている。インクカートリッジ１００の大気解放孔１３０ａは、突起２３０を受け入れた状態で、突起２３０との間に所定の隙間が生じるような、深さと径で設けられている。
【００５３】
一方、係合レバー１１の突起１１ａ（図２参照）は、図５に示すように、カートリッジ装着部２００への装着時にカートリッジ装着部２００に形成された凹部２１０と係合する。その結果、インクカートリッジ１００はカートリッジ装着部２００に対して固定される。
【００５４】
インクジェットプリンターの印刷時には、カートリッジ装着部２００は、印刷ヘッド（図示省略）と一体になって、印刷媒体の紙巾方向に往復移動する。この動作を「主走査」と呼ぶ。主走査の方向を、図５において矢印ＡＲ１で示す。インクカートリッジ１００は、図５に示すように、Ｚ軸の正方向が鉛直上方となるような姿勢で使用される。
【００５５】
Ａ２．インクカートリッジの内部構造：
図６は、インクカートリッジ１００内における大気解放孔１３０ａから供給孔１２０ａ（いずれも図２参照）に至る経路を概念的に示す図である。上述した容器本体１１０およびバネ座部材３００、フィルム１０１，１０２等によって区画形成されるインクの経路について説明する。インク経路は、図６に示すように、上流から順に、蛇行路１３０と、インク収容室１４０と、中間流路１５０と、バッファ室１６０と、バルブ上流路１７０と、バルブ部１８０と、バルブ下流路１９０と、インク供給部１２０とを含んでいる。
【００５６】
蛇行路１３０の上流端は、大気解放孔１３０ａ（図２参照）と連通している。蛇行路１３０の下流端は、図示しない気液分離膜を介してインク収容室１４０の上流側に連通している。気液分離膜は、気体の透過を許容すると共に、液体の透過を許容しない素材で構成されている。インク収容室１４０の下流側は、中間流路１５０の上流端に連通している。
【００５７】
中間流路１５０の下流端は、バッファ室１６０の上流側に連通している。バッファ室１６０の下流側は、バルブ上流路１７０の上流端に連通している。バルブ上流路１７０の下流端は、バルブ部１８０の上流側に連通している。バルブ部１８０の下流側は、バルブ下流路１９０の上流端に連通している。バルブ下流路１９０の下流端は、インク供給部１２０に連通している。
【００５８】
インク供給部１２０の供給孔１２０ａには、インクカートリッジ１００がインクジェットプリンターに装着されたときに（図５参照）、カートリッジ装着部２００に備えられたインク供給針２４０が挿入される。インクカートリッジ１００内のインクは、インク供給針２４０を介してインクジェットプリンターによる印刷のために供給される。
【００５９】
中間流路１５０には、センサー部１０５が配置されている。このセンサー部１０５は、回路基板１３の裏側の空間に配置されている（図２参照）。インクは、インクカートリッジ１００の製造時には、インク収容室１４０まで充填されている。このときの液面を、図６において、破線ＭＬ１で概念的に示す。
【００６０】
インクカートリッジ１００の内部のインクがインクジェットプリンターによって消費されると、液面は下流側に移動し、その代わりに大気解放孔１３０ａを介して上流から大気がインクカートリッジ１００の内部に流入する。そして、インクの消費が進むと、液面がセンサー部１０５にまで到達し、さらにインクの消費が進むとセンサー部１０５よりも下流側に到達する。このときの液面を、図６において、破線ＭＬ２で概念的に示す。
【００６１】
インクの液面がセンサー部１０５よりも下流側に到達すると、センサー部１０５のキャビティに大気が導入され、キャビティを含む系の固有振動数が変化する。センサー部１０５の圧電素子によって系の振動特性の変化が検知されることにより、インク切れが検出される。センサー部１０５によりインク切れが検出されると、センサー部１０５より下流側（バッファ室１６０等）に存在するインクが完全に消費されるよりも前の段階で、印刷が停止され、ユーザにインク切れが通知される。
【００６２】
図７は、弁アセンブリ６００ｂに含まれる膜弁５００（図２参照）の構成を示す斜視図である。膜弁５００は、その本体を、弾性を有する樹脂性のエラストマーで形成されている。膜弁５００に用いられているエラストマーは、容器本体１１０を形成する樹脂よりもヤング率が低い。
【００６３】
本実施例の膜弁５００の本体を構成する素材は、ポリマーと軟化剤とを含む構成である。ポリマーとしては、熱可塑性エラストマーの成分として用いられるポリマーの中から任意のものを複数あるいは単独で用いることができる。具体的には、例えばスチレン系，オレフィン系，ウレタン系，エステル系等の熱可塑性エラストマーを用いることができる。なお、ポリマーとしては、たとえば、特開２０００−９７８号公報にポリマーとして挙げられたものを使用することができる。
【００６４】
軟化剤としては、例えば、従来プラスチックやゴムの軟化剤として使用されている鉱物油系，植物油系，合成系などの各種軟化剤の中から、任意のものを複数あるいは単独で用いることができる。なお、軟化剤としては、たとえば、特開２０００−９７８号公報に軟化剤として挙げられたものを使用することができる。
【００６５】
膜弁５００は、図７に示すように、変位部５５０と、膜状部５１０と、シール部５２０と、第１の装着部５６０と、第２の装着部５７０と、を有している。膜弁５００の表面のうち、図７（Ａ）において主として示されている側の面を、膜弁５００の「第１の面ＭＳ１」と呼ぶ。一方、膜弁５００の表面のうち、図７（Ｂ）において主として示されている側の面を、膜弁５００の「第２の面ＭＳ２」と呼ぶ。
【００６６】
膜弁５００の中央には、異なる径を有する二つの円柱Ｃ１，Ｃ２が軸方向に組み合わされた略柱状の変位部５５０が設けられている。変位部５５０の第１の面ＭＳ１側の円柱Ｃ１は、第２の面ＭＳ２側の円柱Ｃ２よりも直径が大きい。変位部５５０の第２の面ＭＳ２側の円柱Ｃ２の上端の角の部分には、テーパが設けられている。変位部５５０の第１の面ＭＳ１側の円柱Ｃ１の周りには、フランジ状に膜状部５１０が設けられている。そして、膜状部５１０の回りに、膜状部５１０より厚いシール部５２０が円形のつば状に設けられている。さらに、シール部５２０の両側に、一対の装着部である第１の装着部５６０および第２の装着部５７０が設けられている。
【００６７】
第１の装着部５６０には、第１の組み付け穴５３０が形成されている。第２の装着部５７０には、第２の組み付け穴５４０が形成されている。これらの組み付け穴５３０、５４０が、バネ座部材３００の二つの凸部３３０，３４０（図１参照）に嵌合することにより、膜弁５００は、バネ座部材３００に対する位置を固定される。
【００６８】
図８は、膜弁５００の構成を示す平面図および断面図である。図８（Ａ）は、膜弁５００を第１の面ＭＳ１側（図７（Ａ）参照）から見た正面図である。図８（Ｂ）は、図８（Ａ）のＡ−Ａ断面を示す図である。
【００６９】
略円柱形状を有する変位部５５０の第１の面ＭＳ１側の部分Ｓ１（以下、「上面Ｓ１」と呼ぶ）の中央は、周りの部分に比べて凹んでいる。すなわち、変位部５５０の上面Ｓ１は、中央に、膜状部５１０よりも第２の面ＭＳ２寄りの位置に設けられる円形の平面Ｓ１１（以下「中央部Ｓ１１」と呼ぶ）を有する。そして、変位部５５０の上面Ｓ１は、中央部Ｓ１１の外周に、第１の面ＭＳ１から第２の面ＭＳ２に向かう方向（図８（Ｂ）の左右方向）について、膜状部５１０と同じ位置に設けられる平面である外縁部Ｓ１３を有する。さらに、変位部５５０の上面Ｓ１は、第１の面ＭＳ１から第２の面ＭＳ２に向かう方向（図８（Ｂ）の左右方向）について、異なる高さの位置に設けられる中央部Ｓ１１と外縁部Ｓ１３とを結ぶスロープである傾斜部Ｓ１２を有する。すなわち、第１の面ＭＳ１側を上にして膜弁５００を置いたとき、膜状部５１０の上面と変位部５５０（外縁部Ｓ１３と傾斜部Ｓ１２）の上面Ｓ１の高さは、中央部Ｓ１１に近づくにつれて単調減少する。
【００７０】
なお、「高さが中央部Ｓ１１に近づくにつれて単調減少する」とは、中央部Ｓ１１に近づくにつれて高さが低くなる部分と、中央部Ｓ１１に近づいても高さが変わらない（高さが一定である）部分と、を含み得る意味を表す。すなわち、傾斜部Ｓ１２の表面においては、第１の面ＭＳ１側を上にして膜弁５００を置いた場合の高さが、中央部Ｓ１１に近づくにつれて低くなる。一方、外縁部Ｓ１３の表面においては、中央部Ｓ１１からの距離が異なる地点においても、高さは同じである。これら傾斜部Ｓ１２の表面と外縁部Ｓ１３の表面の両方を含む形状について、本明細書では「高さが（中央部Ｓ１１に近づくにつれて）単調減少する」と記述する。
【００７１】
膜状部５１０の厚みは、図８（Ｂ）に示すように、他の部分の厚みと比較して薄い。このため、膜状部５１０は容易に弾性変形する。膜状部５１０の第１の面ＭＳ１側の部分、すなわち、図８（Ａ）において、シングルハッチングされた領域は、バルブ上流路１７０（図６参照）を流れるインクの液圧を受ける上流側圧受け領域である。膜状部５１０の、上流側圧受け領域の反対側の部分、すなわち、第２の面ＭＳ２側の部分は、バルブ下流路１９０（図６参照）を流れるインクの液圧を受ける下流側圧受け領域である。
【００７２】
膜弁５００の第１の面ＭＳ１のうち、変位部５５０の中央部Ｓ１１の表層部分（たとえば、表面から深さ約０．１ｍｍまでの部分）については、エラストマーの各成分のうち軟化剤（本実施例においてはパラフィン系オイル）が一部除去されている。その結果、中央部Ｓ１１の表層部分は、エラストマーの各成分のうち軟化剤が、他の箇所（軟化剤を低減する処理が行われていない箇所。たとえば、変形部としての膜状部５１０）よりも少ない素材で構成されている。以下、エラストマーの各成分のうちの軟化剤の割合が、変形部としての膜状部５１０のエラストマーよりも少ない素材を「接触用材料」と呼ぶ。そして、接触用材料で構成されている箇所を接触層Ｄｇと呼ぶ。接触層Ｄｇは、膜弁５００の他の部分（たとえば、膜状部５１０）を構成するエラストマーの表面に比べて、タック性（他の部材への粘着のしやすさを表す指標）が低く、ヤング率が高い。
【００７３】
膜弁５００の第１の面ＭＳ１のうち、変位部５５０の中央部Ｓ１１は、後述する中継流路の上流端を構成する尖端形状部が当接する。
【００７４】
また、膜弁５００の第２の面ＭＳ２のうち、変位部５５０の円柱Ｃ１の端面Ｓ２の表層部分（たとえば、表面から深さ約０．１ｍｍまでの部分）も、エラストマーの成分のうち軟化剤が一部除去されている。すなわち、端面Ｓ２の表層部分も、接触用材料で構成された接触層Ｄｇが設けられている。その結果、変位部５５０の円柱Ｃ１の端面Ｓ２も、膜弁５００の他の部分（たとえば、膜状部５１０）を構成するエラストマーの表面に比べて、タック性が低く、ヤング率が高い。このため、バネ座部材３００に膜弁５００を装着する際に、コイルバネ４００の上端と膜弁５００とが、端面Ｓ２の面内の方向について、意図しない相対位置で粘着してしまいにくい。
【００７５】
なお、変位部５５０の円柱Ｃ１の端面Ｓ２は、凹状の断面を有する。その結果、変位部５５０の円柱Ｃ２の基部を囲んで、円柱Ｃ１の端面Ｓ２に溝状の凹部が設けられている。この凹状の端面Ｓ２には、コイルバネ４００の端面、すなわち、コイルバネ４００の一端において環状に巻かれているコイルが当接する（図１および図２参照）。このため、端面Ｓ２が平らに設けられている態様に比べて、コイルバネ４００は、より安定して適正な位置に配される。
【００７６】
すなわち、変位部５５０の円柱Ｃ１の端面Ｓ２が上記のように構成されているため、インクカートリッジ１００が製造される際には、コイルバネ４００は、適正な位置に配されることとなる。また、インクカートリッジ１００が使用される間には、コイルバネ４００の上端部は、膜弁５００に対して微妙に位置をずらしつつ、最も安定する位置および姿勢でバネ座部材３００内に保持されることとなる。
【００７７】
膜弁５００の第１の面ＭＳ１のうち、シール部５２０の表面、第１の装着部５６０の表面、第２の装着部５７０の表面には、厚さ０．１ｍｍのエポキシ樹脂の膜Ｒｅが設けられている。このエポキシ樹脂は、膜弁５００の本体を構成するエラストマーに比べて、タック性（他の部材への粘着のしやすさを表す指標）が低く、ヤング率が高い。本実施例では、エポキシ樹脂の一例として、セメダイン株式会社の「ハイスーパー５」を使用する。以下、他の部位に設けるエポキシ樹脂の膜についても同様である。セメダイン株式会社の「ハイスーパー５」は、２液性のエポキシ樹脂である。セメダイン株式会社の「ハイスーパー５」は、比較的安価であり流通量が多いため、入手が容易である。
【００７８】
シール部５２０、第１の装着部５６０、および第２の装着部５７０の第１の面ＭＳ１側の表面には、容器本体１１０の弁壁６００ａｗが当接する（図２および図４参照）。
【００７９】
膜弁５００の第２の面ＭＳ２のうち、シール部５２０の表面、第１の装着部５６０の表面、第２の装着部５７０の表面にも、厚さ０．１ｍｍのエポキシ樹脂の膜Ｒｅが設けられている。シール部５２０、第１の装着部５６０、および第２の装着部５７０の第２の面ＭＳ２側の表面には、バネ座部材３００が当接する（図１および図２参照）。
【００８０】
膜弁５００の第１の組み付け穴５３０および第２の組み付け穴５４０の内面にも、エポキシ樹脂の膜Ｒｅが設けられている。第１の組み付け穴５３０および第２の組み付け穴５４０には、後述するバネ座部材３００の二つの軸３３０，３４０が、それぞれ挿入される（図１参照）。その結果、第１の組み付け穴５３０および第２の装着部５７０の内面には、軸３３０，３４０の側面が当接する。
【００８１】
なお、各部のエポキシ樹脂の膜Ｒｅは、エポキシ樹脂を各部に塗布することにより、形成される。塗布によって膜Ｒｅを構成することにより、膜弁５００のような複雑な形状の物体の表面に、容易に膜Ｒｅを構成することができる。また、エポキシ樹脂を採用することにより、短時間で膜弁５００の表面に膜Ｒｅを構成することができる。たとえば、膜弁５００の表面に０．１ｍｍの厚さの膜Ｒｅを構成するのには、膜弁５００の表面に、硬化後、０．１ｍｍの厚さとなる量のエポキシ樹脂を塗布した後、室温環境下で５分以上、置けばよい。
【００８２】
図９は、バネ座部材３００を示す説明図である。図９（Ａ）は、バネ座部材３００を、膜弁５００が組み付けられる側から見た状態を表す斜視図である（図１参照）。図９（Ｂ）は、バネ座部材３００を、膜弁５００が組み付けられる側とは逆の側から見た状態を表す斜視図である（図２参照）。図９（Ｃ）は、バネ座部材３００を、膜弁５００が組み付けられる側から見た正面図である。
【００８３】
バネ座部材３００は、略ひし形の断面形状を有する略柱状の部材である。略柱状の形状の一端の面である第１面３００ｕには、図９（Ａ）に示すように、柱の軸方向（図９（Ｃ）において紙面に垂直かつ手前側の方向）に突出する軸３３０，３４０が設けられている。バネ座部材３００の第１面３００ｕには、膜弁５００の第２の面ＭＳ２が第１面３００ｕと向かい合うように、膜弁５００が装着される（図１および図２参照）。膜弁５００がバネ座部材３００の第１面３００ｕに装着される際に、膜弁５００の第１の組み付け穴５３０および第２の組み付け穴５４０には、軸３３０，３４０が、それぞれ挿入される（図１および図８参照）。
【００８４】
図９（Ｃ）に示すバネ座部材３００の第１面３００ｕには、さらに、凹部である下流バルブ室１８２とバネ収容室１８４とが形成されている（図９（Ａ）および図９（Ｃ）参照）。バネ収容室１８４は、バネ座部材３００の中央に柱の軸の方向に沿って設けられた略円柱状の凹部である。下流バルブ室１８２は、略円柱状のバネ収容室１８４と中心軸を同じくする略円錐台状の凹部である。下流バルブ室１８２は、バネ収容室１８４に対して第１面３００ｕ側に設けられている。下流バルブ室１８２の円錐台の側面は、円錐台の中心に近づくほど深くなるように傾斜しており、下端において略円柱状のバネ収容室１８４の側壁と接続している。第１面３００ｕにおける下流バルブ室１８２の円形の開口は、円形に配された凸部であるリブ３１０に囲まれている。
【００８５】
図９（Ｃ）に示すように、バネ収容室１８４の底には、流入孔１８４ｉが形成されている。一方、バネ収容室１８４には、流出孔１８４ｏが形成されている。流出孔１８４ｏは、略円柱状のバネ収容室１８４の側壁に、円柱の軸方向に沿って設けられた溝部（図９（Ａ）、図９（Ｃ）参照）の端に設けられた穴である。
【００８６】
略柱状のバネ座部材３００の他方の端面である第２面３００ｄには、図９（Ｂ）に示すように、流入路３００ｉと流出路３００ｏとが形成されている。流入路３００ｉは、略柱状のバネ座部材３００の側面および底面に開口しており、バネ収容室１８４の底面の流入孔１８４ｉ（図９（Ｃ）参照）と接続している。流出路３００ｏは、流入路３００ｉとは逆の側のバネ座部材３００の側面、およびバネ座部材３００の底面に開口しており、バネ収容室１８４の流出孔１８４ｏ（図９（Ｃ）参照）と接続している。このように、バネ座部材３００の内部にインクの流路３００ｉ、３００ｏが形成されている。
【００８７】
図１０は、弁アセンブリ６００ｂ（図１および図２参照）の分解斜視図である。バネ座部材３００のバネ収容室１８４には、コイルバネ４００が挿入される。そして、コイルバネ４００の上から、バネ座部材３００の第１面３００ｕに、膜弁５００が装着される。その際、膜弁５００の第２の面ＭＳ２側の円柱Ｃ２は、コイルバネ４００内に挿入される（図２、図７（Ｂ）および図８（Ｂ）参照）。また、膜弁５００の第１の組み付け穴５３０、第２の組み付け５４０には、バネ座部材３００の軸３３０，３４０が、それぞれ、挿入される。
【００８８】
図８（Ｂ）を使用して説明したように、膜弁５００の第２の面ＭＳ２（図１０において下側の面）のうち、シール部５２０の表面、第１の装着部５６０の表面、および第２の装着部５７０の表面には、エポキシ樹脂の膜Ｒｅが設けられている。このため、バネ座部材３００に膜弁５００を装着する際に、バネ座部材３００の第１面３００ｕと膜弁５００とが、膜弁５００の第２の面ＭＳ２内の方向またはバネ座部材３００の第１面３００ｕ内の方向について、意図しない相対位置で粘着してしまいにくい。このため、相対位置の微妙な調整をしつつ、膜弁５００をバネ座部材３００に装着することができる。よって、膜弁５００をバネ座部材３００上の正しい位置に正確に装着することができる。
【００８９】
また、同様に、図８（Ｂ）を使用して説明したように、膜弁５００の第１の組み付け穴５３０および第２の組み付け穴５４０の内面にも、エポキシ樹脂の膜Ｒｅが設けられている。このため、バネ座部材３００に膜弁５００を装着する際に、バネ座部材３００の軸３３０，３４０の側面の意図しない位置に、第１の組み付け穴５３０および第２の組み付け穴５４０の内面が粘着してしまいにくい。よって、膜弁５００をバネ座部材３００上の正しい位置に容易に装着することができる。
【００９０】
図２に示すように、弁アセンブリ６００ｂは、弁収容室６００ａに嵌め込まれる。その際、弁アセンブリ６００ｂは、バネ座部材３００の第１面３００ｕが、弁収容室６００ａの弁壁６００ａｗに向かい合う向きに配される。すなわち、バネ座部材３００に装着された膜弁５００の第１の面ＭＳ１が、弁収容室６００ａの弁壁６００ａｗに向かい合う向きに、弁アセンブリ６００ｂは配される。
【００９１】
図８（Ｂ）を使用して説明したように、膜弁５００の第１の面ＭＳ１のうち、シール部５２０の表面、第１の装着部５６０の表面、第２の装着部５７０の表面には、エポキシ樹脂の膜Ｒｅが設けられている。また、変位部５５０の中央部Ｓ１１には、接触層Ｄｇが設けられている。このため、容器本体１１０の弁収容室６００ａに弁アセンブリ６００ｂを装着する際に、容器本体１１０の弁壁６００ａｗと膜弁５００とが意図しない相対位置で粘着してしまいにくい。よって、相対位置の微妙な調整をしつつ、膜弁５００を容器本体１１０の弁壁６００ａｗに装着することができる。その結果、膜弁５００を弁壁６００ａｗ上の正しい位置に正確に装着することができる。
【００９２】
膜弁５００の表面各部に膜状部５１０等を構成するエラストマーと同じ成分を有するエラストマーが露出している態様においては、膜弁５００と他の部材とを組み付ける際に、他の部材が膜弁５００の意図しない位置に粘着してしまうことがある。そのような場合には、膜弁５００と他の部材との組み付けが正確に行われず、その結果として、それらの部材で構成されたバルブ部１８０が正確に動作しなくなる。たとえば、正しい位置からずれた位置に膜弁５００が組み込まれた場合には、正しい方向に変形および変位しなくなり、本来の圧力差のしきい値において弁が開閉しなくなるおそれがある。
【００９３】
また、他の部材が膜弁５００の意図しない位置に粘着してしまった場合には、いったん粘着した膜弁を引きはがして再度、他の部材に対して膜弁の位置決めを行うこともできる。しかし、そのような場合にも、他の部材から膜弁を引きはがす際に加えた力により、膜弁に残留変形が生じてしまい、膜弁が正しく機能しなくなるおそれもある。
【００９４】
しかし、本実施例においては、膜弁５００は、組み付けの際に他の部材と接触する部分（シール部５２０の表面、第１の装着部５６０の表面、および第２の装着部５７０の表面、変位部５５０の円柱Ｃ１の端面Ｓ２など）に、膜状部５１０等を構成するエラストマーよりも他の部材に粘着しにくい接触層Ｄｇやエポキシ樹脂の層が設けられている。よって、本実施例の膜弁５００は、他の部材に対して正確に組み付けられることができ、かつ、他の部材を正確に組み付けられることができる。また、引きはがしおよび再組み付けに起因する膜弁の動作不良も生じにくい。さらには、仮に正しい位置からずれた位置に膜弁５００装着された場合にも、バネ４００の付勢力によって、バネ座部材３００および弁収容室６００ａの形状と、膜弁５００の形状とがよりよく一致するように、位置ズレが矯正される可能性もある。また、それらの効果により、個々のインクカートリッジ１００の製造の際のばらつきが少なくなる。
【００９５】
図４に示すように、弁壁６００ａｗには、２つの凹部６３０、６４０が設けられている。凹部６３０、６４０は、バネ座部材３００の軸３３０，３４０（図１０参照）の先端を挿入するための凹部である。弁アセンブリ６００ｂが弁収容室６００ａに嵌め込まれた状態において、軸３３０の先端は凹部６３０内にあり、軸３４０の先端は凹部６４０内にある。このような態様とすることにより、弁アセンブリ６００ｂを容器本体１１０に組み付ける際の、軸３３０，３４０の位置ずれの可能性、すなわちバネ座部材３００の位置ずれの可能性を低減することができる。膜弁５００は、そのように位置決めされたバネ座部材３００の第１面３００ｕと、弁収容室６００ａの弁壁６００ａｗとに、挟まれる。
【００９６】
図１１は、バルブ部１８０の側面図である。図１１（Ａ）は、弁アセンブリ６００ｂの装着前の状態における、バルブ部１８０の拡大図である（図２および図４参照）。図１１（Ｂ）は、弁アセンブリ６００ｂの装着後の状態のバルブ部１８０の拡大図である。図１１（Ａ）に示すように、容器本体１１０の弁壁６００ａｗの中央には、尖端形状部１１５によって囲まれた開口４５３が設けられている。また、開口４５３を挟んで対称の位置に、２つの凹部６３０、６４０が設けられている。前述のように、弁アセンブリ６００ｂが弁収容室６００ａに嵌め込まれた状態において（図１１（Ｂ）参照）、バネ座部材３００の軸３３０の先端は凹部６３０内に挿入されており、軸３４０の先端は凹部６４０内に挿入されている。
【００９７】
図１１（Ａ），（Ｂ）の左側に示す第１流路４６２は、容器本体１１０の側面ＳＳ１，ＳＳ２と直交する向きの流路であり、容器本体１１０の第１側面ＳＳ１と第２側面ＳＳ２とを連通している（図２も参照）。図２に示すように、この第１流路４６２は、弁収容室６００ａの内壁に形成された溝を含んでいる。図１１（Ｂ）に示すように、バネ座部材３００の流入路３００ｉは、第１流路４６２と、バネ収容室１８４の流入孔１８４ｉとを連通する（図９（Ｂ）も参照）。
【００９８】
一方、図１１（Ａ），（Ｂ）の右側に示す第２流路４６４は、弁収容室６００ａの内壁から、容器本体１１０の第１側面ＳＳ１と平行に延びる流路である（図２も参照）。第２流路４６４は、一端においてインク供給部１２０と連通している（図４参照）。また、第２流路４６４の他端は、図１１（Ｂ）に示すように、バネ座部材３００の流出路３００ｏと連通する（図９（Ｂ）も参照）。
【００９９】
図１２は、図１１（Ｂ）に２点鎖線で示すバルブ部１８０のＥ１−Ｅ１断面の一部を示す断面図である。図１１（Ａ），（Ｂ）に示すように、Ｅ１−Ｅ１断面は、開口４５３の中心軸（図１２中の軸ＡＸＥと同じ）を通り、開口４５２（図１１（Ａ）参照）と流出孔１８４ｏ（図１１（Ｂ）参照）とを通らない断面である。このため、たとえば、膜弁５００のうち、第１の装着部５６０と第２の装着部５７０の断面は、図１２に現れていない（図８（Ｂ）参照）。なお、図１２において、膜弁５００に設けられた接触層Ｄｇおよびエポキシ樹脂の膜Ｒｅを、それぞれ図８と同じハッチで示す。
【０１００】
図１２は、バルブ上流路１７０と、バルブ下流路１９０との間が膜弁５００によって遮断された状態（非連通状態、閉弁状態）を示している。バルブ部１８０には、上流バルブ室１８１と下流バルブ室１８２とバネ収容室１８４とが形成されている。上流バルブ室１８１は略円盤状の形状を有する。ただし、円盤形状の中央には、円形の尖端形状部１１５に囲まれた開口４５３が存在する。下流バルブ室１８２は、前述のように、略円錐台状の形状を有する（図９（Ａ）、図１０参照）。バネ収容室１８４は、略円柱状の形状を有する（同）。上流バルブ室１８１と下流バルブ室１８２とバネ収容室１８４とは、その順に並んで配される。上流バルブ室１８１と下流バルブ室１８２とバネ収容室１８４とは、中心軸ＡＸＥを共有する。
【０１０１】
上流バルブ室１８１には、略円形の開口４５３を介して、後述する中継流路１８５の一端が接続される。バネ収容室１８４には、略円形の流入孔１８４ｉを介して、その中継流路１８５の他端が接続される。バネ収容室１８４は、上流バルブ室１８１から送出されたインクを、中継流路１８５および流入孔１８４ｉを介して受け取る。開口４５３、上流バルブ室１８１、下流バルブ室１８２、バネ収容室１８４、流入孔１８４ｉは、中心軸ＡＸＥを共有する。なお、中継流路１８５は、図２および図１１（Ｂ）に示す第１流路４６２、ならびに図９（Ｂ）および図１１（Ｂ）に示す流入路３００ｉを一部に含む。
【０１０２】
膜弁５００のシール部５２０は、容器本体１１０のシール部分１１８とバネ座部材３００との間に挟持され、流路内の位置を固定される。その際、シール部５２０は、エポキシ樹脂の膜Ｒｅを介して容器本体１１０のシール部分１１８と接触し、エポキシ樹脂の膜Ｒｅを介してバネ座部材３００と接触する。バネ座部材３００の第１面３００ｕに配されたリブ３１０（図９（Ａ）参照）がシール部５２０に押し付けられることにより、インクがシール部５２０の外側に漏れ出すことが抑制される。
【０１０３】
膜弁５００のシール部５２０ならびに第１の装着部５６０および第２の装着部５７０が、容器本体１１０とバネ座部材３００との間に挟持されることにより、膜状部５１０の流路内の位置が固定される。その結果、変位部５５０は、上流バルブ室１８１と下流バルブ室１８２との間において膜状部５１０に支持されることになる。
【０１０４】
上流バルブ室１８１は、容器本体１１０の一部である弁壁６００ａｗと膜弁５００（特に膜状部５１０と変位部５５０）の第１の面ＭＳ１とによって区画形成されている。下流バルブ室１８２は、バネ座部材３００と、膜弁５００（特に膜状部５１０と変位部５５０）の第２の面ＭＳ２とによって区画されている。前述のように、円錐台形状を有する下流バルブ室１８２の円錐台の側面は、円錐台の中心に近づくほど深くなるように傾斜しており、下端において略円柱状のバネ収容室１８４の側壁と接続している。
【０１０５】
バネ座部材３００には、コイルバネ４００の他端を支持するバネ支持部３２０Ｅが形成されている。バネ支持部３２０Ｅが、バネ収容室１８４の下端である流入孔１８４ｉを定める。バネ収容室１８４には、付勢部材としてのコイルバネ４００が収容されている（図１０も参照）。なお、バネ支持部３２０Ｅが設けられたバネ座部材３００が容器本体１１０に嵌合され固定されていることから、バネ支持部３２０Ｅは、バルブ上流路１７０、上流バルブ室１８１、下流バルブ室１８２、バネ収容室１８４、バルブ下流路１９０等からなる流路内において固定されている。
【０１０６】
コイルバネ４００は、膜弁５００の変位部５５０を、矢印Ａｍで示す方向に沿って、容器本体１１０の尖端形状部１１５に向かう向きに付勢している。変位部５５０は、円柱Ｃ１の端面Ｓ２に設けられた接触層Ｄｇを介してコイルバネ４００と接触している。
【０１０７】
図１３は、閉弁状態にあるバルブ部１８０の概略断面図である。図１４は、開弁状態にあるバルブ部１８０の別の概略断面図である。これらの断面図は、図１１（Ａ）におけるＥ２−Ｅ２断面と、図１１（Ｂ）におけるＥ３−Ｅ３断面とを合成したものである。図１３、図１４において一点鎖線で区切った右下の領域が、Ｅ３−Ｅ３断面であり、残りの部分はＥ２−Ｅ２断面である。Ｅ２−Ｅ２断面は、図１１（Ａ）に示すように、第１流路４６２と、開口４５３の中心軸ＡＸＥと、開口４５２とを通る断面である。Ｅ３−Ｅ３断面は、図１１（Ｂ）に示すように、図１１の紙面に垂直な面の組み合わせである。Ｅ３−Ｅ３断面は、流入孔１８４ｉから流出孔１８４ｏに向かう平面と、流出孔１８４ｏから流出路３００ｏを通って第２流路４６４へ至る平面とを含む。
【０１０８】
なお、図１３、図１４の右側においては、上段でＥ２−Ｅ２断面における構造を示し、下段で、本来Ｅ２−Ｅ２断面における構造よりも寸法が長いはずのＥ３−Ｅ３断面における構造を示している。このため、図１３、図１４においては、Ｅ２−Ｅ２断面とＥ３−Ｅ３断面とで図の上下方向の構造を一致させるため、Ｅ３−Ｅ３断面については、中心軸ＡＸＥと垂直な方向の縮尺が調整されている。なお、図１３，図１４において、膜弁５００に設けられた接触層Ｄｇおよびエポキシ樹脂の膜Ｒｅを、図８と同じハッチで示す。
【０１０９】
図１３および図１４に示すように、バルブ部１８０の上流バルブ室１８１は、弁壁６００ａｗの開口４５２を介して、バルブ上流路１７０としての流路４５０と接続されている。流路４５０は、他端においてバッファ室１６０と連通している（図６参照）。上流バルブ室１８１は、この弁壁６００ａｗの開口４５２を介して、バルブ部１８０外部（ここでは、バルブ上流路１７０およびバッファ室１６０）からインクを受け入れる。
【０１１０】
また、バルブ部１８０の上流バルブ室１８１は、弁壁６００ａｗの開口４５３を介して、中継流路１８５としての流路４６０、第１流路４６２および流入路３００ｉと接続され得る。中継流路１８５は、他端においてバネ収容室１８４の流入孔１８４ｉと連通している。したがって、上流バルブ室１８１は、開口４５３および中継流路１８５を介して、バネ収容室１８４およびバネ収容室１８４と連通する下流バルブ室１８２にインクを送出し得る。ただし、図１３において、弁壁６００ａｗの中心の開口４５３は、変位部５５０の当接領域Ｓ１１によって塞がれている。すなわち、図１３の状態において、バルブ部１８０は閉弁状態にある。図１４に示す開弁状態にあるとき、上流バルブ室１８１は、開口４５３および中継流路１８５を介して、バネ収容室１８４および下流バルブ室１８２にインクを送出し得る。
【０１１１】
バルブ部１８０のバネ収容室１８４は、底部の流出孔１８４ｏを介して、バルブ下流路１９０としての流出路３００ｏおよび第２流路４６４と接続されている。下流路１９０は、他端において、インク供給部１２０と連通している（図６参照）。バネ収容室１８４およびバネ収容室１８４と連通する下流バルブ室１８２は、流入孔１８４ｉから流入したインクを、下流路１９０およびインク供給部１２０に送出する。
【０１１２】
図１３、図１４に示すように、バルブ上流路１７０は、膜弁５００の一方の側にある上流バルブ室１８１と連通している。そして、バルブ下流路１９０は、バネ収容室１８４を介して、膜弁５００の他方の側にある下流バルブ室１８２と連通している。すなわち、バルブ部１８０の上流バルブ室１８１と下流バルブ室１８２は、インク収容室１４０からインク供給部１２０に至る流路の一部を構成する（図６参照）。そして、バルブ部１８０の一部である膜弁５００は、バルブ上流路１７０とバルブ下流路１９０との間に介在している。
【０１１３】
バルブ下流路１９０の液圧は、流出孔１８４ｏ、バネ収容室１８４および下流バルブ室１８２を介して、膜弁５００の第２の面ＭＳ２にかかる。このバルブ下流路１９０の液圧とバネ４００による付勢力とが、膜弁５００を閉弁状態に維持しようとする力（閉弁力）となる（図１３参照）。一方、バルブ上流路１７０の液圧は、開口４５２および上流バルブ室１８１を介して、膜弁５００の第１の面ＭＳ１にかかる。このバルブ上流路１７０の液圧が膜弁５００を開弁状態にしようとする力（開弁力）となる（図１４参照）。これらの力の大小関係に応じて、変位部５５０は、図１３、図１４において矢印Ａｍで示す方向に沿って変位する。その結果、バルブ部１８０は開閉される。
【０１１４】
膜弁５００は弾性変形しやすいエラストマーで形成されている。このため、膜弁がゴムで形成されている態様に比べて、バルブ部１８０は、開弁力と閉弁力の大きさの微妙な差を変位部５５０の位置に反映することができる。よって、バルブ部１８０は下流側の流路内の圧力を正確に制御することができる。また、膜弁がゴムで形成されている態様に比べて、膜弁５００の大きさ（特に膜状部５１０の直径）に対して大きく変位することができる。よって、膜弁がゴムで形成されている態様に比べて、バルブ部１８０を小さく設けることができる。
【０１１５】
Ａ３．膜弁の動作：
図１３に示す変位部５５０の位置は、閉弁力が開弁力よりも大きい場合における定常状態の変位部５５０の位置である。本明細書において、この位置を「基準位置Ｐ１」と呼ぶ。変位部５５０が基準位置Ｐ１にあるとき、バルブ部１８０は閉弁状態にある。なお、基準位置Ｐ１は、変位部５５０が矢印Ａｍの方向に沿って移動しうる位置の範囲のうち、一端（図１３において上端）の位置である。すなわち、基準位置Ｐ１は、容器本体１１０のうちバルブ上流路１７０の下流端部を規定する尖端形状部１１５に、変位部５５０が接して、コイルバネ４００による変位を制限されている状態における、変位部５５０の位置である。
【０１１６】
インクジェットプリンターによりインクが消費されると、インク供給部１２０からインクがインクジェットプリンターに供給される（図６参照）。すると、バルブ下流路１９０（流出路３００ｏ、第２流路４６４）内のインクの圧力が低下する。やがて、バネ収容室１８４と下流バルブ室１８２の負圧に起因する力と、バネ４００による付勢力との和である膜弁５００の閉弁力が、上流バルブ室１８１の圧力に起因する膜弁５００の開弁力より小さくなる。すると、膜弁５００の膜状部５１０が変形して、矢印Ａｍの方向に沿って、変位部５５０が尖端形状部１１５から離れる向き（図１２、図１３において下方）に動く。その結果、図１４に示すように、尖端形状部１１５と膜弁５００の当接領域とが離れてそれらの間に隙間が形成され、上流バルブ室１８１、中継流路１８５、ならびに下流バルブ室１８２およびバネ収容室１８４とを介して、バルブ上流路１７０が、バルブ下流路１９０と連通した状態になる。すなわち、バルブ部１８０は、開弁状態となる。
【０１１７】
変位部５５０が基準位置Ｐ１にあるとき（図１３参照）、尖端形状部１１５は、変位部５５０の中央部Ｓ１１に形成された接触層Ｄｇを介して、変位部５５０と接触している。このため、エラストマーで構成される変位部５５０の本体が接触層Ｄｇを有さずに、直接、尖端形状部１１５に接触している態様に比べて、尖端形状部１１５と変位部５５０とが粘着しにくい。よって、バルブ部１８０は、開弁力と閉弁力の大きさの微妙な差を変位部５５０の位置に反映することができる。
【０１１８】
開弁状態においては、バルブ上流路１７０から中継流路１８５および下流バルブ室１８２にインクが流入する（図１４の矢印Ｆｉ参照）。その結果、下流バルブ室１８２の液圧が上昇する。下流バルブ室１８２の液圧とバネ４００による閉弁力が、上流バルブ室１８１の液圧による開弁力を上回ると、膜状部５１０は再び変形し、変位部５５０が、矢印Ａｍの方向に沿って尖端形状部１１５に近づく向きに変位する。そして、図１３に示すように、変位部５５０が尖端形状部１１５に接触して押圧された状態となると、中継流路１８５の上流端部（開口４５３）は閉じられ、バルブ上流路１７０とバルブ下流路１９０との連通は遮断される（図１３参照）。すなわち、膜弁５００は閉弁状態となる。
【０１１９】
尖端形状部１１５に近づく向きの閉弁力には、コイルバネ４００の付勢力が加わっている。このため、下流バルブ室１８２およびバルブ下流路１９０の液圧は、大気圧を受けているバルブ上流路１７０の液圧より低く維持される。すなわち、バルブ下流路１９０内部のインクの圧力は、常に大気圧より低い負圧に維持される。その結果、インクカートリッジ１００のインク供給部１２０（図２参照）からのインク漏れを抑制することができる。すなわち、バルブ部１８０は、バルブ上流路１７０とバルブ下流路１９０の圧力差に応じて動作し、差圧弁として機能する。なお、本明細書において「差圧弁」とは、一次側と二次側圧力の差を、ある範囲内に保持する調整弁である。
【０１２０】
Ａ４．膜弁、バルブ部、及びインクカートリッジの製造方法：
図１５は、本実施例の膜弁５００、バルブ部１８０、及びインクカートリッジ１００を製造する工程を示すフローチャートである。ステップＳ１１０では、まず、弾性部材としての前述のエラストマーで膜弁５００のもととなる部材（処理前可動膜）を形成する。この部材は、膜弁５００と略同様の形状を有する。また、この部材は、単一のエラストマーを材料として、射出成形により形成される。なお、以下では、膜弁５００のもととなる部材の各部について、膜弁５００のある部分（たとえば、中央部Ｓ１１）に相当する部分については、その部材の段階でその部分が完成状態にあるか否かによらず、膜弁５００のその部分の名称（たとえば、中央部Ｓ１１）を用いて記述する。
【０１２１】
ステップＳ１２０では、ステップＳ１１０で生成した部材のうち、変位部５５０の中央部Ｓ１１および変位部５５０の円柱Ｃ１の端面Ｓ２の表層部分のエラストマーから軟化剤（本実施例においてはパラフィン系オイル）を除去する。その際、まず、ステップＳ１２２で、変位部５５０の中央部Ｓ１１および変位部５５０の円柱Ｃ１の端面Ｓ２が加圧される。その際、変位部５５０の中央部Ｓ１１および変位部５５０の円柱Ｃ１の端面Ｓ２の表層部に、接触層Ｄｇが形成される。この加圧により、変位部５５０の中央部Ｓ１１および変位部５５０の円柱Ｃ１の端面Ｓ２には、表層部分のエラストマー中に含まれていた軟化剤が染み出す。
【０１２２】
その後、ステップＳ１２４で、膜弁５００のもととなる部材を洗浄して、表面に染み出した軟化剤を除去する。ここでは、変位部５５０の中央部Ｓ１１および変位部５５０の円柱Ｃ１の端面Ｓ２に、純水洗浄を施し、それらの表面の軟化剤を除去する。その後、さらにエタノールで洗浄を行って、表面の軟化剤を除去する。その結果、膜弁５００が完成する。このような処理を行うことで、単一のエラストマーで一体成形された膜弁の表層部に、軟化剤成分の少ない接触層Ｄｇを簡単に形成することができる。
【０１２３】
また、上記の態様においては、加圧されていない部分については、軟化剤の溶出を少なくすることができる。このため、膜弁の一部について選択的に接触層Ｄｇを生成する際に、他の部分の柔軟性に与える影響（たとえば、膜状部５１０の柔軟性の低下）を少なくしつつ、接触層Ｄｇを生成することができる。
【０１２４】
一方、ステップＳ１３０では、バネ座部材３００、コイルバネ４００、容器本体１１０など、インクカートリッジを構成する部材であって膜弁５００以外の部材（図１および図２参照）を準備する。なお、ステップＳ１３０の処理は、ステップＳ１１０やステップＳ１２０の処理の前に行われてもよいし、後に行われてもよい。また、ステップＳ１１０やステップＳ１２０の処理と並行して行われてもよい。
【０１２５】
その後、ステップＳ１４０では、ステップＳ１２０で生成された膜弁５００、およびステップＳ１３０で別途用意されたバネ座部材３００、コイルバネ４００、容器本体１１０などの部材を組み合わせて、インクカートリッジ１００を生成する。
【０１２６】
図１６は、図１５のステップＳ１２２において、変位部５５０の円柱Ｃ１の端面Ｓ２を加圧する際の手順を示す図である。ステップＳ１１０で生成された部材５００ｐ０（図１６の上段参照）を、プレス型ＰＤ１，ＰＤ２の間に挟んで矢印Ｃｐ１で示す方向に加圧する（図１６の中段参照）。プレス型ＰＤ１は、板状の型であり、部材５００ｐ０の第１の面ＭＳ１の側に配される。プレス型ＰＤ２は、管状の部分を有する型であり、部材５００ｐ０の第２の面ＭＳ２の側に配される。
【０１２７】
プレス型ＰＤ２の管の端面ＰＤ２ｔは、凸状に設けられており、変位部５５０の円柱Ｃ１の端面Ｓ２を押圧する。その結果、主としてプレス型ＰＤ２の管の端面ＰＤ２ｔとプレス型ＰＤ１の間の部分Ｐｐ１（図１６において細かいハッチで示す）が加圧される。その後、図１６の下段に示すように、プレス型ＰＤ１，ＰＤ２をとり除くと、変位部５５０の円柱Ｃ１の端面Ｓ２の表層には、軟化剤が一部除去された接触層Ｄｇが形成される。除去された軟化剤は、端面Ｓ２の表面に染み出している（図示せず）。また、この段階で、変位部５５０の円柱Ｃ１の端面Ｓ２は、凹状に成型されている。この段階の部材を部材５００ｐ１と呼ぶ。
【０１２８】
また、本明細書および図面では、技術の理解を容易にするため、接触層Ｄｇは、明確な輪郭で囲まれた部分として示している（図８（Ｂ）および図１６参照）。しかし、接触層Ｄｇは、軟化剤の成分量が接触層Ｄｇ以外の部分と明確に異なる境界をその外周に有しているわけではない。ここでは、軟化剤の成分割合が所定値以下の部分を、便宜的に、明確な輪郭を付して接触層Ｄｇとして示している。変位部５５０の中央部Ｓ１１の表層に設けられる接触層Ｄｇについても同様である。
【０１２９】
図１７は、図１５のステップＳ１２２において、変位部５５０の中央部Ｓ１１を加圧する際の手順を示す図である。図１６の処理で生成された部材５００ｐ１（図１７の上段参照）を、プレス型ＰＤ３，ＰＤ４の間に挟んで矢印Ｃｐ２で示す方向に押圧する（図１６の中段参照）。プレス型ＰＤ４は、変位部５５０の円柱Ｃ１，Ｃ２を受け入れる凹部を有する板状の型であり、部材５００ｐ０の第２の面ＭＳ２の側に配される。プレス型ＰＤ３は、円柱状の部分を有する型であり、部材５００ｐ０の第１の面ＭＳ１の側に配される。
【０１３０】
プレス型ＰＤ３の円柱の端面ＰＤ３ｔは、変位部５５０の中央部Ｓ１１を押圧する。その結果、主としてプレス型ＰＤ３の端面ＰＤ３ｔとプレス型ＰＤ４の間の部分Ｐｐ２（図１６において細かいハッチで示す）が加圧される。その後、図１７の下段に示すように、プレス型ＰＤ３，ＰＤ４をとり除くと、変位部５５０の中央部Ｓ１１の表層には、軟化剤が一部除去された接触層Ｄｇが形成される。除去された軟化剤は、中央部Ｓ１１の表面に染み出している（図示せず）。この後、ステップＳ１２４で染み出した軟化剤を洗浄されて、膜弁５００は完成する。
【０１３１】
なお、ステップＳ１２４の洗浄は、各プレス（図１６および図１７参照）の後にそれぞれ行ってもよいし、各プレスが終わった後に行ってもよい。
【０１３２】
以上のような処理により、ほぼ均質なエラストマーで一体成型された部材の一部の表層に、軟化剤の成分割合が少ない接触層Ｄｇを簡単に設けることができる。
【０１３３】
なお、図１６、図１７に示す加圧により、変位部５５０の円柱Ｃ１の端面Ｓ２から第１の面ＭＳ１までの寸法は、小さくなる。このため、図１５のステップＳ１１０では、変位部５５０の円柱Ｃ１の端面Ｓ２から第１の面ＭＳ１までの寸法が、完成状態の膜弁５００における変位部５５０の円柱Ｃ１の端面Ｓ２から第１の面ＭＳ１までの寸法よりも大きい部材５００ｐ０を生成する（図１６の上段参照）。
【０１３４】
同様に、図１６、図１７に示す加圧により、変位部５５０の中央部Ｓ１１から第２の面ＭＳ２までの寸法は、小さくなる。このため、図１５のステップＳ１１０では、変位部５５０の中央部Ｓ１１から第２の面ＭＳ２までの寸法が、完成状態の膜弁５００の変位部５５０の中央部Ｓ１１から第２の面ＭＳ２までの寸法よりも大きい部材５００ｐ０を生成する（図１６の上段参照）。このように部材５００ｐ０を生成することにより、接触層Ｄｇの生成後に適切な形状および大きさとなる膜弁５００を生成することができる。
【０１３５】
Ｂ．第２実施例：
Ｂ１．接触層の形成：
第２実施例は、接触層Ｄｇの生成方法が第１実施例とは異なる。また、第２実施例においては、変位部５５０を構成する円柱Ｃ１の側面にも接触層Ｄｇが形成される。第２実施例の他の点は、第１実施例と同じである。
【０１３６】
図１８は、第１実施例において行われる図１２の処理のうち、ステップＳ１２０に代わって行われるステップＳ１２０ｂを示すフローチャートである。ステップＳ１２０ｂ中のステップＳ１２７では、変位部５５０の中央部Ｓ１１、変位部５５０の円柱Ｃ１の端面Ｓ２、および変位部５５０を構成する円柱Ｃ１の側面に、軟化剤（本実施例においてはパラフィン系オイル）を溶かすことができる溶剤が塗布される。この溶剤は、ジエチレングリコールジエチルエーテル、γ−ブチロラクトン、テトラエチレングリコールジメチルエーテルを含む。溶剤の塗布は、具体的には溶剤をしみこませたスタンプを、変位部５５０の中央部Ｓ１１および変位部５５０の円柱Ｃ１の端面Ｓ２に押すことにより行われる。変位部５５０を構成する円柱Ｃ１の側面には、溶剤は刷毛により塗布される。
【０１３７】
そして、溶剤を塗布した状態で、ステップＳ１２８において、６０°Ｃの環境下で１２０時間だけ置く。その間、変位部５５０の中央部Ｓ１１、変位部５５０の円柱Ｃ１の端面Ｓ２、および変位部５５０を構成する円柱Ｃ１の側面に塗布された溶剤に、各部の表層部分から軟化剤が溶け出す。そして、表層部分の軟化剤の成分割合が低下する。その結果、変位部５５０の中央部Ｓ１１、変位部５５０の円柱Ｃ１の端面Ｓ２、および変位部５５０を構成する円柱Ｃ１の側面の表層に、接触層Ｄｇが形成される。
【０１３８】
その後、ステップＳ１２９で、膜弁５００のもととなる部材を洗浄して、表面に染み出した軟化剤を除去する。ここでは、図１５のステップＳ１２４と同様に、変位部５５０の中央部Ｓ１１および変位部５５０の円柱Ｃ１の端面Ｓ２に、純水洗浄を施し、その後、さらにエタノールで洗浄する。その結果、膜弁５００ｂが完成する。このような処理を行うことで、単一のエラストマーで一体成形された膜弁の表層部に、軟化剤成分の少ない接触層Ｄｇを簡単に形成することができる。
【０１３９】
図１９は、第２実施例における膜弁５００ｂの変位部５５０ｂ近傍の断面図である。第２実施例においては、変位部５５０を構成する円柱Ｃ１の側面にも接触層Ｄｇが形成されている。このため、バネ４００と組み合わせてバルブ部１８０を構成する際に（図１０および図１２参照）、バネ４００の内面が円柱Ｃ１の側面に粘着してしまうことがない。よって、意図しない位置にバネ４００の先端が粘着した状態でバルブ部１８０が組み立てられる可能性が低い。また、円柱Ｃ１へのバネ４００の粘着および引きはがしによって、円柱Ｃ１や膜弁５００ｂの他の構成に塑性変形を生じさせてしまう可能性が低い。よって、各部材が正しい位置に組み合わせられ、かつ、正確に動作するバルブ部１８０を提供することができる。なお、コイルバネの「内面」とは、コイルバネの形状を管として把握したときの管の内面であり、螺旋を描くコイルにおいて螺旋の中心に向かう側の部分を意味する。
【０１４０】
また、第２実施例においても、変位部５５０の円柱Ｃ１の端面Ｓ２および変位部５５０の中央部Ｓ１１に接触層Ｄｇが形成されている。このため、第１実施例と同様に、バネ４００の位置を適正に保つことができ、バルブ部１８０の開閉を適正に行うことができる。
【０１４１】
Ｂ２．接触層のタック性：
軟化剤を除去された接触層Ｄｇのタック性を、膜弁５００の本体を構成する、軟化剤を除去されていないエラストマーのタック性と比較した。本明細書において、タック性の評価は、株式会社レスカのタッキング試験機（Model:TAC-II）を使用して行うものとする。このタッキング試験機（Model:TAC-II）においては、以下のような試験が行われる。すなわち、試料の粘着面を上にして置き、上部からプローブを粘着面に押しつけ、引き剥がす力を検出する。この方法により、粘着物質の粘着性を評価することができる。
【０１４２】
表層の軟化剤を除去された膜弁５００ｔ１と、本実施例の膜弁５００の本体であって表層の軟化剤を除去されていない比較例の膜弁５００ｔ２と、について、中央部Ｓ１１（図８（Ａ），（Ｂ）参照）相当部分にプローブを押しつけて、タッキング試験を行った。なお、膜弁５００ｔ１については、６０°Ｃに保った溶剤中に１２０時間浸漬し、その後、常温で純水洗浄し、さらにエタノールで洗浄し、常温下で１２時間乾燥させたものを使用した。溶剤は、以下の表１に示す組成を有する。一方、膜弁５００ｔ２については、図１５のステップＳ１１０で生成された部材５００ｐ０をそのまま使用した。
【０１４３】
【表１】
2011073258.tif 000003
【０１４４】
試験の条件は以下のとおりである。
プローブを試験片に当接する際の速度：２．５ｍｍ／ｍｉｎ
プローブの引きはがし速度：１２０ｍｍ／ｍｉｎ
プローブを当接する際の保持荷重：１４ｇｆ
プローブを当接する時間：１ｓｅｃ
【０１４５】
試験結果は以下のとおりであった。「実験例１」が膜弁５００ｔ１についての測定結果であり、「実験例２」が膜弁５００ｔ２についての測定結果である。
【表２】
2011073258.tif 000004
【０１４６】
１回目から３回目のいずれの試験においても、膜弁５００ｔ１のタック性は、膜弁５００ｔ２のタック性よりも低かった。このことから、本実施例で形成される接触層Ｄｇのタック性が、膜弁を構成することができるエラストマーよりも、低いことがわかる。
【０１４７】
Ｂ３．表面の膜を構成する物質のタック性：
膜弁５００の表面に配されたエポキシ樹脂のタック性を、膜弁５００の本体を構成するエラストマーのタック性と比較した。
【０１４８】
ステップＳ１１０で生成した部材５００ｐ０の中央部Ｓ１１にエポキシ樹脂を配した膜弁５００ｔ３と、接触層Ｄｇのタック性を評価する際に使用したのと同様に生成した膜弁５００ｔ２と、について、中央部Ｓ１１（図８（Ａ），（Ｂ）参照）相当部分にプローブを押しつけて、タッキング試験を行った。なお、膜弁５００ｔ３については、表面にエポキシ樹脂（セメダイン株式会社の「ハイスーパー５」）を０．１ｍｍの厚さで塗布してから２３°Ｃの環境下に２４時間置いたサンプルを使用した。
【０１４９】
試験の条件は以下のとおりである。
プローブを試験片に当接する際の速度：２．５ｍｍ／ｍｉｎ
プローブの引きはがし速度：１２０ｍｍ／ｍｉｎ
プローブを当接する際の保持荷重：１４ｇｆ
プローブを当接する時間：１ｓｅｃ
【０１５０】
試験結果は以下のとおりであった。「実験例３」が膜弁５００ｔ３についての測定結果であり、「実験例２」が膜弁５００ｔ２についての測定結果である。
【表３】
2011073258.tif 000005
【０１５１】
１回目から３回目のいずれの試験においても、膜弁５００ｔ３のタック性は、膜弁５００ｔ２のタック性よりも低かった。このことから、本実施例でシール部５２０、第１の装着部５６０、第２の装着部５７０等の表面に配するエポキシ樹脂層のタック性が、膜弁を構成することができるエラストマーよりも、低いことがわかる。
【０１５２】
Ｃ．その他：
上記実施例において、中間流路１５０と、バッファ室１６０と、バルブ上流路１７０と、バルブ部１８０と、バルブ下流路１９０とが、「課題を解決するための手段」における「流路」に相当する。バルブ部１８０が「差圧弁」に相当する。上流バルブ室１８１が「第１室」に相当する。下流バルブ室１８２とバネ収容室１８４とが、「第２室」に相当する。膜弁５００が「可動膜」に相当する。エラストマーが「弾性材料」に相当する。エラストマーに含まれるパラフィン系オイルが、「軟化剤として作用する成分」に相当する。接触層Ｄｇを構成する接触用材料が「接触用材料」に相当する。
【０１５３】
上記実施例において、開口４５２が、「課題を解決するための手段」における「第１流入口」に相当する。開口４５３が「第１流出口」に相当する。尖端形状部１１５が「第１流出口の外周部」に相当する。流入孔１８４ｉが「第２流入口」に相当する。流出孔１８４ｏが「第２流出口」に相当する。変位部５５０が「変位部」に相当する。膜状部５１０が「変形部」に相当する。中央部Ｓ１１が「外周接触部」に相当する。コイルバネ４００が「バネ」および「コイルバネ」に相当する。
【０１５４】
上記実施例において、図１５のステップＳ１１０が、「課題を解決するための手段」における工程（ａ）に相当する。ステップＳ１２０が、工程（ｂ）に相当する。ステップＳ１４０が、工程（ｃ）に相当する。バネ座部材３００、コイルバネ４００、容器本体１１０などの部材（図１および図２参照）が、「第１室と第２室の少なくとも一方を前記可動膜とともに形成すべき部材」に相当する。
【０１５５】
上記実施例において、図１５のステップＳ１２２が、適用例７における工程（ｂ１）に相当する。ステップＳ１２４が、適用例７における工程（ｂ２）に相当する。変位部５５０の円柱Ｃ１の端面Ｓ２の凹部が、コイルバネのコイルを受け入れる凹部に相当する。図１８のステップＳ１２７が、適用例１０における工程（ｂ１）に相当する。ステップＳ１２９が、適用例１０における工程（ｂ２）に相当する。
【０１５６】
Ｄ．変形例：
なお、この発明は上記の実施例や実施形態に限られるものではなく、その要旨を逸脱しない範囲において種々の態様において実施することが可能であり、例えば次のような変形も可能である。
【０１５７】
Ｄ１．変形例１：
上記第１実施例においては、まず変位部５５０の円柱Ｃ１の端面Ｓ２のプレスが行われ（図１６参照）、その後、変位部５５０の中央部Ｓ１１のプレスが行われる（図１７参照）。しかし、膜弁の複数の箇所に接触層Ｄｇを形成する際には、その形成の順序はどのようなものであってもよい。また、プレス型ＰＤ１にプレス型ＰＤ３の先端部分ＰＤ３ｔに相当する凸状の部分を設けたプレス型と、プレス型ＰＤ２またはＰＤ４とを使用して、変位部５５０の円柱Ｃ１の端面Ｓ２のプレスと変位部５５０の中央部Ｓ１１のプレスとを同時に行ってもよい。
【０１５８】
Ｄ２．変形例２：
上記実施例において、変位部５５０の上面Ｓ１において、中央部Ｓ１１は、外縁部Ｓ１３に囲まれ、外縁部Ｓ１３よりも凹んで設けられる。このため、膜弁５００を第１の面ＭＳ１を上にして置いた場合には、中央部Ｓ１１は、中央部Ｓ１１よりも高い外縁部Ｓ１３に囲まれることになる。よって、その状態で中央部Ｓ１１に第２実施例の溶剤を塗布することで、中央部Ｓ１１に正確かつ容易に溶剤を塗布することができる。すなわち、中央部Ｓ１１に接触層Ｄｇを構成する際に、不要な部位に溶剤が塗布される可能性が低い。その結果、製造される多数の膜弁５００の構成についての製造上のばらつきを低減することができる。また、膜弁５００の製造に使用する溶剤を効率的に使用することができる。たとえば、決まった量の溶剤を中央部Ｓ１１に滴下することで、溶剤が、低く設けられた中央部Ｓ１１上に均等に広がり、均等な厚みで接触層Ｄｇを形成することができる。なお、膜弁にエポキシ樹脂を塗布することにより、膜弁上にエポキシ樹脂の層を形成する場合についても、同様の処理を行うことにより同様の効果が得られる。
【０１５９】
Ｄ３．変形例３：
上記実施例においては、変位部５５０の中央部Ｓ１１、変位部５５０の円柱Ｃ１の端面Ｓ２、および変位部５５０を構成する円柱Ｃ１の側面に、接触層Ｄｇが形成される。しかし、これら以外の箇所に接触層Ｄｇを形成することもできる。たとえば、エポキシ樹脂の層Ｒｅを設けた箇所に、エポキシ樹脂の層Ｒｅに代えて接触層Ｄｇを形成することもできる。また、接触層Ｄｇを設けた箇所に、接触層Ｄｇに代えてエポキシ樹脂の層Ｒｅを形成することもできる。そのような態様としても、正確に組み立てることができ、その結果、正確に動作する差圧弁を実現することができる。
【０１６０】
また、上記実施例において、接触層Ｄｇやエポキシ樹脂の層Ｒｅを配した部位以外の部位にも、膜弁本体を構成する素材よりもタック性が低い接触用材料による構成を配することもできる。たとえば、膜弁の表面全体に、膜弁本体を構成する素材よりもタック性が低い接触用材料による構成を配することができる。また、上記実施例において接触用材料による構成が配されている部位の一部について、接触用材料による構成を配さない態様とすることもできる。すなわち、可動膜としての膜弁のうち、流路を構成する他の部材と接触する部分の少なくとも一部を、可動膜の変形部を構成する弾性材料に比べて粘着しにくい接触用材料で設けられている構成とすることができる。
【０１６１】
Ｄ４．変形例４：
上記実施例のステップＳ１１０においては（図１５参照）、膜弁用部材５００ｐ０は、単一のエラストマーで一体成形される。そして、その後、ステップＳ１２０で、単一のエラストマーで一体成形された膜弁用部材５００ｐ０に、接触層Ｄｇが形成される。しかし、膜弁用部材５００ｐ０は、多色成形で形成されてもよい。すなわち、膜弁用部材５００ｐ０は、互いに異なる成分や成分割合を有する複数の素材から構成されてもよい。たとえば、変位部５５０と、膜状部５１０と、装着部５６０，５７０は、異なる素材で構成されることもできる。そのような態様においても、単一のエラストマーで一体成形された部分に対して、第１実施例や第２実施例の処理を行うことにより、そのエラストマーとは異なる性質を有する接触層Ｄｇを形成することができる。
【０１６２】
Ｄ５．変形例５：
上記実施例においては、単一のエラストマーで一体成形された部分に対して、軟化剤を除去する処理を行うことにより、接触層Ｄｇを形成している。しかし、接触層Ｄｇは、あらかじめ、他の部分よりも軟化剤の成分が少ない素材を用意した上で、接触層Ｄｇよりも軟化剤の成分が多い素材で形成された構成の上に設けてもよい。また、接触層Ｄｇを形成した上に、接触層Ｄｇよりも軟化剤の成分が多い素材で形成された構成を設けることもできる。そのような態様であっても、各素材の原材料を共通化することにより、まったく原材料が異なる素材から各部を形成する場合に比べて、製造コストを低減することができる。
【０１６３】
Ｄ６．変形例６：
上記実施例においては、膜弁５００の本体を構成するエラストマーよりもタック性の低いエポキシ樹脂や接触層が、膜弁５００の表面に配されている（図８（Ｂ）参照）。一般に、ある程度、柔軟性があり、膜弁の製造に使用され得る樹脂などの物質においては、タック性と硬度とは相関がある。このため、膜弁が他の部材に粘着しないようにするために膜弁の表面に配する物質（接触用材料）としては、膜弁の本体（特に変形部としての膜状部５１０）を構成する物質よりも硬度が高い物質を採用することができる。なお、ここでいう「硬度」は、JIS K6523に従った試験方法で評価するものとする。上記実施例で軟化剤を除去することにより形成された接触層Ｄｇは、上記実施例において膜弁５００の本体（たとえば、膜状部５１０）を構成するエラストマーよりも硬度が高い。また、上記実施例で使用されるセメダイン株式会社の「ハイスーパー５」は、硬化後は、上記実施例において膜弁５００の本体を構成するエラストマーよりも硬度が高い。
【０１６４】
上流バルブ室１８１と下流バルブ室１８２の圧力差が所定の範囲内にあるとき、変位部５５０の中央部Ｓ１１は、コイルバネ４００によって尖端形状部１１５に押しつけられている（図１２および図１３参照）。このため、変位部５５０の中央部Ｓ１１表面に膜弁５００の本体を構成する柔らかい素材（実施例においてエラストマー）がそのまま露出している場合には、変位部５５０の中央部Ｓ１１表面に残留変形が生じやすい。たとえば、外周接触部としての中央部Ｓ１１に残留変形による凹部が生じた場合には、閉弁状態においても、尖端形状部１１５と凹部との隙間から液体が漏れ出す可能性がある。また、外周接触部としての中央部Ｓ１１に凹部が生じ、尖端形状部１１５と中央部Ｓ１１との接触面積が増えると、尖端形状部１１５と中央部Ｓ１１とがより強固に粘着し、より離れにくくなる可能性もある。
【０１６５】
しかし、上記実施例においては、変位部５５０の中央部Ｓ１１表面には、膜弁５００の本体を構成する素材に比べて硬度が高い接触層Ｄｇが設けられている。このため、変位部５５０の中央部Ｓ１１表面に残留変形が生じにくい。よって、変位部５５０の中央部Ｓ１１表面に膜弁５００の本体を構成する柔らかい弾性素材が露出している態様に比べて、より長い期間にわたって、正確に弁を開閉することができる。
【０１６６】
Ｄ７．変形例７：
上記実施例においては、膜弁５００の表面に配される膜状または層状の構成の素材として、室温環境下で硬化させるエポキシ樹脂が採用されている。しかし、膜弁５００の表面に配される膜状または層状の構成の素材としては、他の素材を採用することもできる。たとえば、光硬化性のエポキシ樹脂を採用することもできる。光硬化性の樹脂を使用する場合には、その樹脂に応じた波長の光を所定量、照射することにより、樹脂を硬化させることができる。たとえば、紫外線（ＵＶ）硬化樹脂は、紫外線を所定量、照射することにより硬化させることができる。
【０１６７】
一般に、エポキシ樹脂は、膜弁の本体（特に変形部としての膜状部５１０）を構成する物質よりも、タック性が低く、硬度が高いものが多い。よって、光硬化樹脂として、光硬化性のエポキシ樹脂を用いることが好ましい。しかし、膜弁５００の表面に配される膜状または層状の構成の素材として、エポキシ樹脂以外の光硬化性樹脂を採用することもできる。光硬化性樹脂は、一般に、光硬化性を有さない樹脂に比べて、短時間で硬化する。このため、光硬化性樹脂を採用することにより、膜弁、差圧弁、ひいては液体容器の製造リードタイムを短縮することができる。
【０１６８】
さらに、膜弁５００の表面に配される膜状または層状の構成の素材として、一液性のシリコーン系接着剤を採用することもできる。ただし、光硬化性のエポキシ樹脂の方が、そのようなシリコーン系接着剤よりも短時間で硬化する。このため、光硬化性のエポキシ樹脂を接触用材料として採用する態様の方が、膜弁、差圧弁、ひいては液体容器の製造リードタイムは短い。
【０１６９】
上記実施例においては、弾性材料として、熱可塑性エラストマーを採用している。また、エラストマーで構成された素材の表面に層を設けるための材料として、エポキシ樹脂が用いられている。しかし、弾性材料や、層を設けるための材料としては、他の様々な樹脂を使用することができる。ただし、弾性材料は、表面に層を設けるための材料よりもヤング率が低いことが好ましい。また、弾性材料は、軟化剤を除去されることでヤング率が高くなるという性質、および軟化剤を除去されることでタック性が低くなるという性質、の少なくとも一方を備える材料であることが好ましい。さらに、表面に層を設けるための材料は、弾性材料よりもタック性が低いことが好ましい。さらに、表面に層を設けるための材料は、弾性材料よりも硬度が高いことが好ましい。
【０１７０】
Ｄ８．変形例８：
上記実施例では、インクカートリッジ１００が使用される状態において、鉛直方向（Ｚ軸方向）に垂直なＹ軸方向に変位部５５０が変位するような姿勢に、弁アセンブリ６００ｂは取り付けられる（図１および図２参照）。しかし、本発明の実施態様としての差圧弁や液体容器は、上記実施例とは異なる様々な姿勢で配することができ、そのような姿勢においても効果を奏し得る。
【０１７１】
たとえば、インクカートリッジが使用される状態において、鉛直方向（Ｚ軸方向）に変位部５５０が変位するような姿勢に、すなわち、図１２〜図１４の下方が鉛直下方と一致するように、弁アセンブリ６００ｂ（バルブ部１８０）が取り付けられる態様とすることができる。
【０１７２】
Ｄ９．変形例９：
上記実施例においては、変位部を付勢するバネとして、コイルバネ４００が採用されている。しかし、変位部を付勢する構成としては、板バネや、柔軟性を有する樹脂製の部材など、他の様々な態様を採用することができる。
【０１７３】
Ｄ１０．変形例１０：
また、上記実施例および変形例では、バルブ部１８０は、インク収容室１４０と供給孔１２０ａとを結ぶ流路に設けられており、インクの流れを制御する（図６参照）。しかし、バルブ部１８０と同様の構成は、大気解放孔１３０ａとインク収容室１４０とを結ぶ流路に設けることもできる。そのような態様においては、バルブ部は、流路において空気の流れを制御する。より具体的には、図１２〜図１４に示した上流バルブ室１８１、下流バルブ室１８２、バネ収容室１８４等を含む各流路には、インクに代わって空気が流入する。その結果、上流バルブ室１８１の空気の圧力と、下流バルブ室１８２およびバネ収容室１８４の空気の圧力との差に応じて、開口４５３が開閉される。すなわち、両者の圧力差に応じて、空気の流通が許容され、または止められる。このような態様においても、制御の対象が、液体としてのインクではなく空気である点を除いて、上記各実施例と同様の効果が奏される。
【０１７４】
なお、上記の態様においては、大気解放孔１３０ａが、「課題を解決するための手段」における「吸気口」に相当する。大気解放孔１３０ａとインク収容室１４０とを結ぶ流路（上記実施例においては蛇行路１３０がこれに含まれる）が、「流路」に相当する。他の構成の対応関係は、上記実施例において説明した対応関係と同じである。
【０１７５】
Ｄ１１．変形例１１：
上記実施例では、カートリッジ装着部２００が印刷ヘッド（図示省略）と一体になって印刷媒体の紙巾方向に往復移動するインクジェットプリンター（いわゆるオンキャリッジタイプのプリンター、図５参照）を例示したが、本発明の液体容器は、いわゆるオフキャリッジタイプのプリンターにも適用可能である。オフキャリッジタイプのプリンターでは、不動のカートリッジ装着部２００が印刷ヘッドと別体に構成される一方、印刷ヘッドが往復運動可能なキャリッジに設けられており、カートリッジ装着部２００のインク供給針２４０を介してキャリッジに液体が供給される。
【０１７６】
Ｄ１２．変形例１２：
上記実施例及び変形例では、インクジェットプリンターと、インクカートリッジについて説明したが、本発明は、インク以外の他の液体を噴射したり吐出したりする液体噴射装置に用いても良く、また、そのような液体を収容した液体容器にも適用可能である。本発明の液体容器は、微小量の液滴を吐出させる液体噴射ヘッド等を備える各種の液体消費装置に流用可能である。なお、「液滴」とは、上記液体噴射装置から吐出される液体の状態をいい、粒状、涙状、糸状に尾を引くものも含むものとする。また、ここでいう「液体」とは、液体噴射装置が噴射させることができるような材料であれ良い。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインクや液晶等が挙げられる。ここで、インクとは一般的な水性インクおよび油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用しても良い。そして、これらのうちいずれか一種の噴射装置および液体容器に本発明を適用することができる。
【符号の説明】
【０１７７】
１１…係合レバー
１１ａ…突起
１３…回路基板
２０…蓋部材
５４…封止フィルム
１００…インクカートリッジ
１０１…第１側面フィルム
１０２…第２側面フィルム
１０５…センサー部
１１０…容器本体
１１１…リブ
１１５…尖端形状部
１１８…シール部分
１２０…インク供給部
１２０ａ…供給孔
１３０…蛇行路
１３０ａ…大気解放孔
１３０ｂ…減圧孔
１４０…インク収容室
１５０…中間流路
１６０…バッファ室
１７０…バルブ上流路
１８０…バルブ部
１８１…上流バルブ室
１８２…下流バルブ室
１８４…バネ収容室
１８４ｉ…流入孔
１８４ｏ…流出孔
１８５…中継流路
１９０…バルブ下流路
２００…カートリッジ装着部
２１０…凹部
２３０…突起
２４０…インク供給針
３００…バネ座部材
３００ｄ…第２面
３００ｉ…流入路
３００ｏ…流出路
３００ｕ…第１面
３１０…リブ
３２０Ｅ…バネ支持部
３３０，３４０…軸（凸部）
４００…コイルバネ
４５０…流路
４５２…開口
４５３…開口
４６０…流路
４６２…第１流路
４６４…第２流路
５００，５００ｂ…膜弁
５００ｐ０，５００ｐ１…膜弁のもととなる部材
５１０…膜状部
５２０…シール部
５３０，５４０…穴
５５０，５５０ｂ…変位部
５６０…第１の装着部
５７０…第２の装着部
６００ａ…弁収容室
６００ａｗ…弁壁
６００ｂ…弁アセンブリ
６３０，６４０…凹部
ＡＲ１…主走査方向を示す矢印
ＡＸＥ…中心軸
Ａｍ…変位部５５０が変位する方向を示す矢印
ＢＳ…底面
Ｃ１…変位部５５０の第１の面ＭＳ１側の円柱
Ｃ２…変位部５５０の第２の面ＭＳ２側の円柱
Ｃｐ１，Ｃｐ２…圧縮方向を示す矢印
Ｄｇ…接触層
ＦＳ…前面
Ｆｉ…インクの流れを示す矢印
ＭＬ１，ＭＬ２…液面を示す破線
ＭＳ１…第１の面
ＭＳ２…第２の面
Ｐ１…基準位置
ＰＤ１〜ＰＤ４…プレス型
ＰＤ２ｔ…プレス型ＰＤ２の管状部の端面
ＰＤ３ｔ…プレス型ＰＤ３の端面
Ｐｐ１…プレス型ＰＤ１，ＰＤ２によって圧縮される部分
Ｐｐ２…プレス型ＰＤ３，ＰＤ４によって圧縮される部分
ＲＳ…後面
Ｒｅ…膜
Ｓ１…上面
Ｓ１１…中央部（当接領域）
Ｓ１２…傾斜部
Ｓ１３…外縁部
Ｓ２…変位部５５０の円柱Ｃ１の端面
ＳＳ１…第１側面
ＳＳ２…第２側面
ＴＳ…上面
【図１】
2011073258.tif 000006
【図２】
2011073258.tif 000007
【図３】
2011073258.tif 000008
【図４】
2011073258.tif 000009
【図５】
2011073258.tif 000010
【図６】
2011073258.tif 000011
【図７】
2011073258.tif 000012
【図８】
2011073258.tif 000013
【図９】
2011073258.tif 000014
【図１０】
2011073258.tif 000015
【図１１】
2011073258.tif 000016
【図１２】
2011073258.tif 000017
【図１３】
2011073258.tif 000018
【図１４】
2011073258.tif 000019
【図１５】
2011073258.tif 000020
【図１６】
2011073258.tif 000021
【図１７】
2011073258.tif 000022
【図１８】
2011073258.tif 000023
【図１９】
2011073258.tif 000024